(57)【特許請求の範囲】
【請求項１】
複数の情報が記録されている記録媒体から情報の再生を行う再生手段と、
上記記録媒体に記録されている複数の情報の中から情報を選択するとともに、この選択した所望の情報に付すキャラクタを選択するための回転式操作キーと、
上記回転式操作キーの回転操作により選択された上記情報及びキャラクタを指定するための押しボタンスイッチと、
上記キャラクタが予め記憶されているキャラクタメモリと、
上記回転式操作キーで選択され、かつ、上記押しボタンスイッチにより指定された情報が属するグループを指定するグループ登録手段と、
上記グループの属性、該グループを構成する情報の属性及び該情報に付されたキャラクタを表示する表示手段と、
上記グループの属性及び該グループを構成する情報の属性及び該情報に付されたキャラクタを記憶する記憶手段と、
上記グループの一つを指定することにより、該グループの属性を上記記憶手段より読み出し、上記表示手段により表示するとともに、該グループを構成する複数の情報の再生を行うグループ再生手段と、
上記キャラクタの記憶を指定するキャラクタ入力指定手段と、
上記キャラクタ入力指定手段によりキャラクタの記憶が指定された場合には、上記回転式操作キーの操作に応じて上記情報の属性及び上記キャラクタメモリからキャラクタを読み出してこれらを更新表示するように上記表示手段を制御するとともに、上記押しボタンスイッチで指定された情報の属性及びキャラクタを、上記グループ登録手段で指定されたグループの属性とともに記憶するように上記記憶手段を制御し、
上記グループ再生手段により指定されたグループの属性が表示されている場合において、上記回転式操作キーの操作に応じて上記グループを構成する情報の属性及びキャラクタを上記記憶手段から読み出して更新表示するように上記表示手段を制御するとともに、上記押しボタンスイッチで指定された情報の再生を行うように上記再生手段を制御する制御手段とを有する記録及び／又は再生装置。
【請求項２】
上記制御手段は、現在再生中の情報の上記各属性とともに、次に再生する情報の各属性をも表示するように上記表示手段を制御することを特徴とする請求項１記載の記録及び／又は再生装置。
【請求項３】
上記押しボタンスイッチは、上記回転式操作キーの略中央部に設けられていることを特徴とする請求項１又は請求項２記載の記録及び／又は再生装置。
【請求項４】
複数の情報が記録されている記録媒体から該情報の再生を行う再生手段と、
複数の記録媒体を収納する収納ユニットと、
上記収納ユニットに収納されている複数の記録媒体の中から所望の記録媒体を選択するとともに、この選択した記録媒体に付すキャラクタを選択するための回転式操作キーと、
上記回転式操作キーの回転操作により選択された上記記録媒体及びキャラクタを指定するための押しボタンスイッチと、
上記キャラクタが予め記憶されているキャラクタメモリと、
上記回転式操作キーで選択され、かつ、上記押しボタンスイッチにより指定された記録媒体が属するグループを指定するグループ登録手段と、
上記グループの属性、該グループを構成する記録媒体の属性及び該記録媒体に付されたキャラクタを表示する表示手段と、
上記グループの属性及び上記グループを構成する記録媒体の属性及び該記録媒体に付されたキャラクタを記憶する記憶手段と、
上記グループの一つを指定することにより、該グループの属性を上記記憶手段より読み出し、上記表示手段により表示するとともに、該グループを構成する複数の記録媒体の再生を行うグループ再生手段と、
上記キャラクタの記憶を指定するキャラクタ入力指定手段と、
上記キャラクタ入力指定手段によりキャラクタの記憶が指定された場合には、上記回転式操作キーの操作に応じて上記記録媒体の属性及び上記キャラクタメモリからキャラクタを読み出してこれらを更新表示するように上記表示手段を制御するとともに、上記押しボタンスイッチで指定された記録媒体の属性及びキャラクタを、上記グループ登録手段で指定されたグループの属性とともに記憶するように上記記憶手段を制御し、
上記グループ再生手段により指定されたグループの属性が表示されている場合において、上記回転式操作キーの操作に応じて上記グループを構成する記録媒体の属性及びキャラクタを上記記憶手段から読み出して更新表示するように上記表示手段を制御するとともに、上記押しボタンスイッチで指定された記録媒体の再生を行うように上記再生手段を制御する制御手段とを有する記録及び／又は再生装置。
【請求項５】
上記制御手段は、現在再生中の記録媒体の上記各属性とともに、次に再生する記録媒体の各属性をも表示するように上記表示手段を制御することを特徴とする請求項４記載の記録及び／又は再生装置。
【請求項６】
上記押しボタンスイッチは、上記回転式操作キーの略中央部に設けられていることを特徴とする請求項４又は請求項５記載の記録及び／又は再生装置。
【請求項７】
上記収納ユニットは、上記複数の記録媒体をそれぞれ縦向きに、かつ放射状に収納可能とされ、中心軸を中心として回転可能とされたロータリーテーブルであることを特徴とする請求項４、請求項５又は請求項６のいずれか１項記載の記録及び／又は再生装置。
【請求項８】
複数の情報が記録されている記録媒体から該情報の再生を行う再生手段と、
複数の記録媒体を収納する収納ユニットと、
上記収納ユニットに収納されている複数の記録媒体の中から所望の記録媒体及び所望の情報を選択するとともに、この選択した情報に付すキャラクタを選択するための回転式操作キーと、
上記回転式操作キーの回転操作により選択された上記所望の記録媒体、所望の情報及びキャラクタを指定するための押しボタンスイッチと、
上記キャラクタが予め記憶されているキャラクタメモリと、
上記回転式操作キーで選択され、かつ、上記押しボタンスイッチにより指定された所望の情報が属するグループを指定するグループ登録手段と、
上記グループの属性、該グループを構成する記録媒体の属性、情報の属性及び該情報に付されたキャラクタを表示するための表示手段と、
上記グループの属性、該グループを構成する記録媒体の属性、情報の属性及び該情報に付されたキャラクタを記憶する記憶手段と、
上記グループの一つを指定することにより、該グループの属性を上記記憶手段より読み出し、上記表示手段により表示するとともに、該グループを構成する複数の情報の再生を行うグループ再生手段と、
上記キャラクタの記憶を指定するキャラクタ入力指定手段と、
上記キャラクタ入力指定手段によりキャラクタの記憶が指定された場合には、上記回転式操作キーの操作に応じて上記記録媒体の属性、情報の属性及び上記キャラクタメモリからキャラクタを読み出してこれらを更新表示するように上記表示手段を制御するとともに、上記押しボタンスイッチで指定された記録媒体の属性、情報の属性及びキャラクタを、上記グループ登録手段で指定されたグループの属性とともに記憶するように上記記憶手段を制御し、
上記グループ再生手段により指定されたグループの属性が表示されている場合において、上記回転式操作キーの操作に応じて上記グループを構成する記録媒体の属性、情報の属性及びキャラクタを上記記憶手段から読み出して更新表示するように上記表示手段を制御するとともに、上記押しボタンスイッチで指定された情報の再生を行うように上記再生手段を制御する制御手段とを有する記録及び／又は再生装置。
【請求項９】
上記制御手段は、現在再生中の情報の上記各属性とともに、次に再生する情報の各属性をも表示するように上記表示手段を制御することを特徴とする請求項８記載の記録及び／又は再生装置。
【請求項１０】
上記押しボタンスイッチは、上記回転式操作キーの略中央部に設けられていることを特徴とする請求項８又は請求項９記載の記録及び／又は再生装置。
【請求項１１】
上記収納ユニットは、上記複数の記録媒体をそれぞれ縦向きに、かつ放射状に収納可能とされ、中心軸を中心として回転可能とされたロータリーテーブルであることを特徴とする請求項８、請求項９又は請求項１０のいずれか１項記載の記録及び／又は再生装置。
【請求項１２】
キャラクタ入力指定手段によりキャラクタの記憶が指定された場合には、回転式操作キーの操作に応じて記録媒体に記録されている複数の情報の中から選択された所望の情報を読み出すとともに、回転式操作キーの操作に応じてキャラクタが予め記憶されているキャラクタメモリから選択された上記選択された情報に付すキャラクタを読み出し、
上記選択されて読み出された情報の属性及びキャラクタを表示手段により更新表示し、
上記回転式操作キーで選択された情報及びキャラクタを押しボタンスイッチにより指定し、
上記回転式操作キーで選択され、かつ、上記押しボタンスイッチにより指定された情報が属するグループをグループ登録手段により指定し、
上記グループ登録手段で指定されたグループの属性とともに、上記グループを構成する上記押しボタンスイッチにより指定された情報の属性及びキャラクタを、記憶手段により記憶し、
情報の再生時には、グループ再生手段により、所定のグループを指定することにより、この指定されたグループの属性、上記グループを構成する情報の属性及びキャラクタを上記記憶手段から読み出し、
上記読み出されたグループの属性、上記グループを構成する情報の属性及びキャラクタを上記表示手段により表示するとともに、上記表示手段に属性の表示された情報を再生手段により再生し、
更に、上記回転式操作キーの操作に応じて、上記グループを構成する情報の属性及びキャラクタを上記記憶手段から選択して読み出して上記表示手段により更新表示し、
上記回転式操作キーにより選択された情報及びキャラクタを上記押しボタンスイッチにより指定し、
上記押しボタンスイッチにより指定された情報を上記再生手段により再生する再生方法。
【発明の詳細な説明】
【０００１】
【産業上の利用分野】
本発明は、光ディスクや光磁気ディスク等の記録媒体用の記録及び／又は再生装置並びに再生方法に関し、特に、１枚或いは複数の円盤状記録媒体から所望の情報を選択してグループを形成し、このグループの情報毎にタイトル等のキャラクタを記憶しておき、再生時には、上記記憶しておいたキャラクタを表示するとともにその情報の再生を行うことにより、利便性の向上等を図った記録及び／又は再生装置並びに再生方法に関する。
【０００２】
【従来の技術】
一般に、多数枚の円盤状記録媒体、例えば再生専用の光ディスクが収納された収納ユニットから一枚の光ディスクを取り出し、この取り出した光ディスクに対して情報信号の再生を行う再生装置は、多数枚の光ディスクが収納される収納ユニットと、上記収納ユニットに収納されている多数枚の光ディスクから選択された１枚の光ディスクに対して情報信号の再生を行う再生ユニットを有する。
【０００３】
この再生ユニットは、選択された１枚の光ディスクが装着される装着部を有し、かつこの装着部に装着された上記光ディスクを回転駆動する回転駆動手段と、上記光ディスクの径方向に移動可能とされ、かつ上記光ディスクに対して情報信号の記録及び／又は再生を行う記録及び／又は再生手段とを有する。
【０００４】
また、この再生装置は、上記収納ユニットに収納されている多数枚の光ディスクから選択された１枚の光ディスクを上記記録及び／又は再生ユニットにおける上記回転駆動手段の上記装着部に対応する装着位置まで搬送するローディング機構と、上記ローディング機構にて搬送された上記光ディスクを上記回転駆動手段の上記装着部に装着させるチャッキング機構とを有する。
【０００５】
そして、上記光ディスクの選択は、収納ユニットにある多数枚の光ディスクから任意の光ディスクをローディング機構に対応した所定の位置（ローディング位置）に搬送することにより行われる。ローディング機構は、このローディング位置に搬送された光ディスクを装着位置まで搬送することとなる。
【０００６】
通常、多数枚の光ディスクを管理する場合は、直接光ディスクの番号（商品番号等）で管理するのではなく、その収納ユニットに設けられている光ディスクを収納するための溝に便宜的に連番号を付し、その連番号を光ディスクの番号（ディスク番号）として定義して光ディスクを管理するようにしている。
【０００７】
そして、例えば再生装置にて光ディスクを再生する場合は、操作パネルにあるテン・キーなどの番号入力キーを操作して、上記ディスク番号を入力し、その入力されたディスク番号に対応する光ディスクを再生するようにしている。
【０００８】
また、各ディスク番号に応じてそのタイトル等のメモを文字キー等を用いて登録し、上記再生時にディスク番号を入力した際、表示パネルにディスク番号と共にそのディスク番号に対応したメモを表示して操作性の向上を図るようにしている。
【０００９】
【発明が解決しようとする課題】
しかし、上述の従来の再生装置は、ディスク番号を入力する場合、テン・キーなどの数字が配列されたキーを用いて行うようにしているため、ディスク番号に対応するメモの登録時に、以下のような問題が生じていた。
すなわち、メモの登録は、通常、ディスク番号を入力した後に、そのディスク番号に応じたメモを文字キー等を使って入力するわけだが、ディスク番号を入力する度に、その番号に合致した数字のキーを操作する必要があり、例えば、収納ユニットに多数枚（例えば５０枚以上）の光ディスクが収納されている場合、ディスク番号を入力する度に複数回テン・キーを選択して操作しなければならず、操作手順が大幅に増大するという問題がある。
【００１０】
また、ディスク番号等を検索する場合においても、ある特定の操作キーを用いてトグル動作させる手法を採用しており、登録されているディスク番号が多いと、その検索が非常に煩わしくなるという問題がある。
【００１１】
また、多数枚の光ディスクが再生可能な再生装置においては、操作者が直接光ディスクを操作して再生を行うという構造を採用してはおらず、しかも、再生する光ディスクの順番を予め任意に設定するようにしているため、次に再生（演奏）される光ディスクが何であるかを知ることは、操作性及び利便性の向上のうえで必要なことである。しかし、従来の再生装置においては、表示パネル上に表示されるディスク番号は、現在再生されている光ディスクに対応したディスク番号のみであるため、次に何が再生（演奏）されるのかが解らず、いちいちその順番をキー操作にて確認しなければならないという問題があった。
【００１２】
本発明は、上述の問題点に鑑みてなされたものであり、キャラクタ入力の操作手順を簡略化することができ、所望の曲等の検索を容易化することができるうえ、再生時には、次に再生予定の曲の曲番号等も表示することができるような記録及び／又は再生装置並びに再生方法の提供を目的とする。
【００１３】
【課題を解決するための手段】
本発明に係る記録及び／又は再生装置は、複数の情報が記録されている記録媒体から情報の再生を行う再生手段と、上記記録媒体に記録されている複数の情報の中から情報を選択するとともに、この選択した所望の情報に付すキャラクタを選択するための回転式操作キーと、上記回転式操作キーの回転操作により選択された上記情報及びキャラクタを指定するための押しボタンスイッチと、上記キャラクタが予め記憶されているキャラクタメモリと、上記回転式操作キーで選択され、かつ、上記押しボタンスイッチにより指定された情報が属するグループを指定するグループ登録手段と、上記グループの属性、該グループを構成する情報の属性及び該情報に付されたキャラクタを表示する表示手段と、上記グループの属性及び該グループを構成する情報の属性及び該情報に付されたキャラクタを記憶する記憶手段と、上記グループの一つを指定することにより、該グループの属性を上記記憶手段より読み出し、上記表示手段により表示するとともに、該グループを構成する複数の情報の再生を行うグループ再生手段と、上記キャラクタの記憶を指定するキャラクタ入力指定手段と、上記キャラクタ入力指定手段によりキャラクタの記憶が指定された場合には、上記回転式操作キーの操作に応じて上記情報の属性及び上記キャラクタメモリからキャラクタを読み出してこれらを更新表示するように上記表示手段を制御するとともに、上記押しボタンスイッチで指定された情報の属性及びキャラクタを、上記グループ登録手段で指定されたグループの属性とともに記憶するように上記記憶手段を制御し、上記グループ再生手段により指定されたグループの属性が表示されている場合において、上記回転式操作キーの操作に応じて上記グループを構成する情報の属性及びキャラクタを上記記憶手段から読み出して更新表示するように上記表示手段を制御するとともに、上記押しボタンスイッチで指定された情報の再生を行うように上記再生手段を制御する制御手段とを有する。
【００１５】
また、本発明に係る記録及び／又は再生装置は、上記制御手段として、現在再生中の情報の上記各属性とともに、次に再生する情報の各属性をも表示するように上記表示手段を制御するものを有する。
【００１６】
また、本発明に係る記録及び／又は再生装置は、上記回転式操作キーの略々中央部に上記押しボタンスイッチを設けたものを有する。
【００１７】
また、本発明に係る記録及び／又は再生装置は、複数の情報が記録されている記録媒体から該情報の再生を行う再生手段と、複数の記録媒体を収納する収納ユニットと、上記収納ユニットに収納されている複数の記録媒体の中から所望の記録媒体を選択するとともに、この選択した記録媒体に付すキャラクタを選択するための回転式操作キーと、上記回転式操作キーの回転操作により選択された上記記録媒体及びキャラクタを指定するための押しボタンスイッチと、上記キャラクタが予め記憶されているキャラクタメモリと、上記回転式操作キーで選択され、かつ、上記押しボタンスイッチにより指定された記録媒体が属するグループを指定するグループ登録手段と、上記グループの属性、該グループを構成する記録媒体の属性及び該記録媒体に付されたキャラクタを表示する表示手段と、上記グループの属性及び上記グループを構成する記録媒体の属性及び該記録媒体に付されたキャラクタを記憶する記憶手段と、上記グループの一つを指定することにより、該グループの属性を上記記憶手段より読み出し、上記表示手段により表示するとともに、該グループを構成する複数の記録媒体の再生を行うグループ再生手段と、上記キャラクタの記憶を指定するキャラクタ入力指定手段と、上記キャラクタ入力指定手段によりキャラクタの記憶が指定された場合には、上記回転式操作キーの操作に応じて上記記録媒体の属性及び上記キャラクタメモリからキャラクタを読み出してこれらを更新表示するように上記表示手段を制御するとともに、上記押しボタンスイッチで指定された記録媒体の属性及びキャラクタを、上記グループ登録手段で指定されたグループの属性とともに記憶するように上記記憶手段を制御し、上記グループ再生手段により指定されたグループの属性が表示されている場合において、上記回転式操作キーの操作に応じて上記グループを構成する記録媒体の属性及びキャラクタを上記記憶手段から読み出して更新表示するように上記表示手段を制御するとともに、上記押しボタンスイッチで指定された記録媒体の再生を行うように上記再生手段を制御する制御手段とを有する。
【００１９】
また、本発明に係る記録及び／又は再生装置は、上記制御手段として、現在再生中の円盤状記録媒体の上記各属性とともに、次に再生する円盤状記録媒体の各属性をも表示するように上記表示手段を制御するものを有する。
【００２０】
また、本発明に係る記録及び／又は再生装置は、上記回転式操作キーの略々中央部に上記押しボタンスイッチを設けたものを有する。
【００２１】
また、本発明に係る記録及び／又は再生装置は、上記収納ユニットとして、上記複数の円盤状記録媒体をそれぞれ縦向きに、かつ放射状に収納可能とされ、中心軸を中心として回転可能とされたロータリーテーブルを有する。
【００２２】
次に、本発明に係る記録及び／又は再生装置は、複数の情報が記録されている記録媒体から該情報の再生を行う再生手段と、複数の記録媒体を収納する収納ユニットと、上記収納ユニットに収納されている複数の記録媒体の中から所望の記録媒体及び所望の情報を選択するとともに、この選択した情報に付すキャラクタを選択するための回転式操作キーと、上記回転式操作キーの回転操作により選択された上記所望の記録媒体、所望の情報及びキャラクタを指定するための押しボタンスイッチと、上記キャラクタが予め記憶されているキャラクタメモリと、上記回転式操作キーで選択され、かつ、上記押しボタンスイッチにより指定された所望の情報が属するグループを指定するグループ登録手段と、上記グループの属性、該グループを構成する記録媒体の属性、情報の属性及び該情報に付されたキャラクタを表示するための表示手段と、上記グループの属性、該グループを構成する記録媒体の属性、情報の属性及び該情報に付されたキャラクタを記憶する記憶手段と、上記グループの一つを指定することにより、該グループの属性を上記記憶手段より読み出し、上記表示手段により表示するとともに、該グループを構成する複数の情報の再生を行うグループ再生手段と、上記キャラクタの記憶を指定するキャラクタ入力指定手段と、上記キャラクタ入力指定手段によりキャラクタの記憶が指定された場合には、上記回転式操作キーの操作に応じて上記記録媒体の属性、情報の属性及び上記キャラクタメモリからキャラクタを読み出してこれらを更新表示するように上記表示手段を制御するとともに、上記押しボタンスイッチで指定された記録媒体の属性、情報の属性及びキャラクタを、上記グループ登録手段で指定されたグループの属性とともに記憶するように上記記憶手段を制御し、上記グループ再生手段により指定されたグループの属性が表示されている場合において、上記回転式操作キーの操作に応じて上記グループを構成する記録媒体の属性、情報の属性及びキャラクタを上記記憶手段から読み出して更新表示するように上記表示手段を制御するとともに、上記押しボタンスイッチで指定された情報の再生を行うように上記再生手段を制御する制御手段とを有する。
【００２４】
また、本発明に係る記録及び／又は再生装置は、上記制御手段として、現在再生中の情報の上記各属性とともに、次に再生する情報の各属性をも表示するように上記表示手段を制御するものを有する。
【００２５】
また、本発明に係る記録及び／又は再生装置は、上記回転式操作キーの略々中央部に上記押しボタンスイッチを設けたものを有する。
【００２６】
また、本発明に係る記録及び／又は再生装置は、上記収納ユニットとして、上記複数の円盤状記録媒体をそれぞれ縦向きに、かつ放射状に収納可能とされ、中心軸を中心として回転可能とされたロータリーテーブルを有する。
また、本発明に係る再生方法は、キャラクタ入力指定手段によりキャラクタの記憶が指定された場合には、回転式操作キーの操作に応じて記録媒体に記録されている複数の情報の中から選択された所望の情報を読み出すとともに、回転式操作キーの操作に応じてキャラクタが予め記憶されているキャラクタメモリから選択された上記選択された情報に付すキャラクタを読み出し、上記選択されて読み出された情報の属性及びキャラクタを表示手段により更新表示し、上記回転式操作キーで選択された情報及びキャラクタを押しボタンスイッチにより指定し、上記回転式操作キーで選択され、かつ、上記押しボタンスイッチにより指定された情報が属するグループをグループ登録手段により指定し、上記グループ登録手段で指定されたグループの属性とともに、上記グループを構成する上記押しボタンスイッチにより指定された情報の属性及びキャラクタを、記憶手段により記憶し、情報の再生時には、グループ再生手段により、所定のグループを指定することにより、この指定されたグループの属性、上記グループを構成する情報の属性及びキャラクタを上記記憶手段から読み出し、上記読み出されたグループの属性、上記グループを構成する情報の属性及びキャラクタを上記表示手段により表示するとともに、上記表示手段に属性の表示された情報を再生手段により再生し、更に、上記回転式操作キーの操作に応じて、上記グループを構成する情報の属性及びキャラクタを上記記憶手段から選択して読み出して上記表示手段により更新表示し、上記回転式操作キーにより選択された情報及びキャラクタを上記押しボタンスイッチにより指定し、上記押しボタンスイッチにより指定された情報を上記再生手段により再生する。
【００２７】
【作用】
本発明に係る記録及び／又は再生装置は、１枚の円盤状記録媒体に記録されている複数の情報（例えば、曲情報等）を任意のグループに分割することにより、上記円盤状記録媒体に記録されている複数の情報の中から、該グループを構成する情報のみを再生することができるようにしたものである。
【００２８】
すなわち、ユーザは、まず、回転式操作キー及び押しボタンスイッチを用いて、上記円盤状記録媒体に記録されている複数の情報の中から所望の情報を指定する。
【００２９】
例えば、上記回転式操作キーを時計方向に回転させると上記制御手段がこれを検出し、表示手段に表示する上記情報番号を１ずつ加算して表示し、また、反時計方向に回転させると上記情報番号を１ずつ減算して表示するようになっている。
【００３０】
このため、ユーザは、上記回転式操作キーの操作に応じて上記表示手段に表示される上記情報番号を見ながら所望の情報の選択を行う。そして、上記表示手段に、所望の情報の情番番号が表示されたときに、上記押しボタンスイッチを操作する。これにより、上記制御手段は、上記押しボタンスイッチが操作されたことを検出して、例えばその情報の再生を行うように再生手段を制御する。また、これとともに、上記再生する情報の属性（情報番号等）を表示するように表示手段を制御する。
【００３１】
上記円盤状記録媒体に記録されている情報の選択を可能とするためには、該情報選択用の複数のキーを設ける必要があるが、このように回転式操作キー及び押しボタンスイッチを設けることにより、上記情報の選択操作を簡素化することができるうえ、設けるキーの数を削減することができるため、キーの設置面積の縮小化及びローコスト化を図ることができる。
【００３２】
また、例えば上記回転式操作キーの略々中央部に押しボタンスイッチを設けて一体的に構成することにより、片手で上記回転式操作キー及び上記記憶指定キーの操作を可能とすることができ、上記情報の選択操作のさらなる簡素化を図ることができるうえ、キーの設置面積の縮小化を図ることができる。
【００３３】
次に、ユーザは、グループ指定手段を用いて、上記回転式操作キー及び押しボタンスイッチにより指定した情報が属するグループを指定する。
【００３４】
具体的には、上記グループ指定手段は、例えば４つのキーから構成されている。この４つのキーは、第１番目のキーが就寝時に聞く曲ばかりを集めたグループを示すキー，第２番目のキーが寝起き時に聞く曲ばかりを集めたグループを示すキー，第３番目のキーが食事時に聞く曲ばかりを集めたグループを示すキー，第４番目のキーが休日に聞く曲ばかりを集めたグループを示すキーとする等のように、ユーザにより予め決められている。
【００３５】
上記回転式操作キー及び押しボタンスイッチにより指定した情報を、例えば上記就寝時に聞く曲ばかりを集めたグループの中に入れたい場合、ユーザは、例えばこの情報の再生時或いは再生一次停止時に上記第１番目のキーを操作する。
【００３６】
上記制御手段は、上記第１番目のキーが操作されるとこれを検出し、該第１番目のキーのグループの属性（グループ番号等）及び該情報の属性（情報番号等）を表示するように表示手段を制御するとともに、上記グループ番号，情報番号、該情報が記憶されているアドレス等を記憶するように上記記憶手段を制御する。これにより、上記再生中の情報が、上記第１番目のキーで示されるグループ内に登録される。
【００３７】
このような操作を繰り返し行うことにより、上記記憶手段には、共通性を有する情報のグループが形成される。
【００３８】
次に、当該記録及び／又は再生装置は、このようにグループ登録された情報毎にタイトル等のキャラクタを付加することができるようになっている。
【００３９】
すなわち、このキャラクタの入力を行う場合、ユーザは、上記グループ指定手段を操作してキャラクタの入力を行うグループを指定するとともに、キャラクタ入力指定手段を操作する。上記制御手段は、上記キャラクタ入力指定手段が操作されるとキャラクタ入力モードとなる。
【００４０】
この状態において、ユーザは、上記回転式操作キーを操作する。これにより、上記制御手段は、上記回転式操作キーの回転操作に応じて上記グループ登録されている情報の情報番号等の属性を上記記憶手段から順に読み出して表示するように表示手段を制御するとともに、キャラクタメモリに予め記憶されているカタカナ，漢字，数字，画像等のキャラクタを順に読み出して表示するように表示手段を制御する。
【００４１】
ユーザは、上記表示手段に表示されるキャラクタを見ながらキャラクタを選択し、所望のキャラクタが表示されたときに上記押しボタンスイッチを操作する。上記制御手段は、上記押しボタンスイッチが操作されるとこれを検出し、現在表示しているキャラクタをその情報の属性とともに記憶するように上記記憶手段を制御する。
【００４２】
このような操作を繰り返すことにより、上記記憶手段には、グループの属性，該グループを構成する情報の属性及び該情報のキャラクタがグループ化されて記憶されることとなる。
【００４３】
上記情報のタイトル等のようなキャラクタを入力するには、設けられた複数のキー操作が必要であるが、当該記録及び／又は再生装置は、上記回転式操作キー及び押しボタンスイッチの２つのキー操作で簡単に入力することができる。従って、上記キャラクタの入力操作を簡略化することができる。
【００４４】
次に、ユーザは、上記グループの情報の再生を行う場合、例えば停止時等に、上記グループ指定手段を構成する上記４つのキーのうち所望のキーを操作する。
【００４５】
上記制御手段は、上記停止時等に所望のキーが操作されるとこれを検出し、そのキーのグループの情報の属性，再生する情報の属性及び該情報に付されたキャラクタを上記記憶手段から読み出し、この属性に基づいて情報の再生を行うとともに、該属性を表示するように上記表示手段を制御する。
【００４６】
具体的には、上記記憶手段には、上記指定されたグループを構成する各情報のアドレス，情報番号，グループ番号，タイトル等が記憶されているため、上記制御手段は、上記アドレスに基づいて上記情報をアクセスして再生するように上記再生手段を制御し、上記グループ番号及び情報番号及びタイトル等を表示するように上記表示手段を制御する。また、上記制御手段は、これとともに、次に再生予定の情報の情報番号，タイトル等を表示するように上記表示手段を制御する。
【００４７】
このように、当該記録及び／又は再生装置は、上記記憶手段によりグループを構成する情報の属性及びタイトル等を記憶しておくことができるため、再生時には、そのグループのキーを操作するだけで該グループを構成する情報の再生を行うことができる。このため、再生時毎に新たに所望の情報をプログラムし直すような不都合を解消することができ、利便性の向上を図ることができる。
【００４８】
また、現在再生中の情報の情報番号の他に、次に再生予定の情報番号等を表示することができるため、ユーザにそのグループがどのような情報で構成されるのかを認識し易くすることができる。
【００４９】
なお、上記制御手段は、例えば再生中（或いは再生一次停止中）にグループ指定手段が操作されたときにこれを検出して該再生中の情報をグループ登録し、再生中以外にグループ指定手段が操作されたときにそのグループの情報を再生するようにしてもよい。これにより、１つのキー（グループ指定手段）で２通りの使い方を実現することができ、設けるキーの数を削減してローコスト化を図ることができる。
【００５０】
次に、当該記録及び／又は再生装置は、上記グループ登録した情報の再生を行う場合、所望の情報を検索することができるようになっている。
【００５１】
すなわち、この検索を行う場合、ユーザは、上記グループ指定手段である所望のキーを操作した後に、上記回転式操作キーを回転操作する。この状態で上記回転式操作キーが回転操作されると上記制御手段はこれを検出し、該回転操作に応じて上記記憶手段に記憶されている情報番号及びキャラクタ等を順に読み出して更新表示するように表示手段を制御する。
【００５２】
ユーザは、上記表示手段に表示される上記情報番号，タイトル等を見ながら情報の検索を行い、所望のタイトル等が表示されたときに、上記押しボタンスイッチを操作する。
【００５３】
上記制御手段は、上記押しボタンスイッチが操作されるとこれを検出し、現在表示されている情報の再生を行うように上記再生手段を制御する。
【００５４】
所望の情報を検索可能とするためには、複数のキーを設ける必要があるが、当該記録及び／又は再生装置は、上記回転式操作キー及び押しボタンスイッチで所望の情報の検索を可能とすることができる。このため、設けるキーの数を削減してキーを設ける面積の縮小化を図ることができ、ローコスト化を図ることができる。
【００５５】
次に、本発明に係る記録及び／又は再生装置は、複数の円盤状記録媒体から円盤状記録媒体単位で所望の円盤状記録媒体を選択し、これをグループ登録することにより、該グループ毎の円盤状記録媒体の情報の再生を可能としたものである。
【００５６】
上記複数の円盤状記録媒体を収納する収納ユニットとしては、上記複数の円盤状記録媒体をそれぞれ縦向きに、かつ放射状に収納可能とされ、中心軸を中心として回転可能とされたロータリーテーブルが設けられており、このロータリーテーブルから円盤状記録媒体を再生手段に装着して情報の再生を行うようになっている。
【００５７】
上記グループ登録を行うには、上述のように上記回転式操作キー及び押しボタンスイッチを操作して所望の円盤状記録媒体を選択指定する。
【００５８】
すなわち、上記制御手段は、上記回転式操作キーが時計方向に回転操作されたことを検出すると、例えば上記収納ユニット上の収納部毎に連続して付されている収納部番号或いは円盤状記録媒体毎に付されている媒体番号を、該回転式操作キーの回転位置に応じて１ずつ加算して表示するように表示手段を制御する。また、上記回転式操作キーが反時計方向に回転操作されたことを検出すると、上記収納部番号或いは媒体番号を、該回転式操作キーの回転位置に応じて１ずつ減算して表示するように表示手段を制御する。
【００５９】
次にユーザは、上記表示手段に所望の円盤状記録媒体を示す収納部番号或いは媒体番号が表示されたときに上記押しボタンスイッチを操作する。これにより、上記制御手段は、上記押しボタンスイッチが操作されたことを検出して、例えばその円盤状記録媒体の属性（上記収納部番号，媒体番号等）を表示するように表示手段を制御するとともに、該円盤状記録媒体に記録されている情報を順に再生するように再生手段を制御する。
【００６０】
複数の円盤状記録媒体から所望の円盤状記録媒体を選択可能とするためには、円盤状記録媒体選択用の複数のキーを設ける必要があるが、このように回転式操作キー及び押しボタンスイッチを設けることにより、上記円盤状記録媒体の選択操作を簡素化することができるうえ、設けるキーの数を削減することができる。このため、キーの設置面積の縮小化及びローコスト化を図ることができる。
【００６１】
また、例えば上記回転式操作キーの中央部に上記記憶指定キーを設け、該回転式操作キーと上記記憶指定キーとを一体構成することにより、片手で上記回転式操作キー及び上記記憶指定キーの操作を可能とすることができ、上記円盤状記録媒体の選択操作のさらなる簡素化を図ることができるうえ、キーの設置面積の縮小化を図ることができる。
【００６２】
次に、ユーザは、グループ指定手段を用いて、上記回転式操作キー及び押しボタンスイッチにより指定した円盤状記録媒体が属するグループを指定する。
【００６３】
上記グループ指定手段は、例えば上述のようにユーザにより予め決められたグループを示す複数のキーで構成されており、ユーザは、上記選択した円盤状記録媒体の情報の例えば再生中（或いは再生一次停止中）に該グループ指定手段の所望のキーを操作する。これにより、上記制御手段が上記グループ指定手段の操作を検出して、そのキーが示すグループの属性（グループ番号等）及び該円盤状記録媒体の属性（収納部番号，媒体番号等）を表示するように表示手段を制御するとともに、上記グループ番号，収納部番号，媒体番号等を記憶するように上記記憶手段を制御する。
【００６４】
これにより、上記再生中の円盤状記録媒体が、上記操作したグループ指定手段のキーで示されるグループ内に登録される。
【００６５】
このような操作を繰り返し行うことにより、上記記憶手段には、共通性を有する円盤状記録媒体のグループが形成される。
【００６６】
次に、当該記録及び／又は再生装置は、このようにグループ登録された円盤状記録媒体毎にタイトル等のキャラクタを付加することができるようになっている。
【００６７】
すなわち、このキャラクタの入力を行う場合、ユーザは、上記グループ指定手段を操作してキャラクタの入力を行うグループを指定するとともに、キャラクタ入力指定手段を操作する。上記制御手段は、上記キャラクタ入力指定手段が操作されるとキャラクタ入力モードとなる。
【００６８】
この状態において、ユーザは、上記回転式操作キーを操作する。これにより、上記制御手段は、上記回転式操作キーの回転操作に応じて上記グループ登録されている円盤状記録媒体の収納部番号，媒体番号等の属性を上記記憶手段から順に読み出して表示するように表示手段を制御するとともに、キャラクタメモリに予め記憶されているカタカナ，漢字，数字，画像等のキャラクタを順に読み出して表示するように表示手段を制御する。
【００６９】
ユーザは、上記表示手段に表示されるキャラクタを見ながらキャラクタを選択し、所望のキャラクタが表示されたときに上記押しボタンスイッチを操作する。上記制御手段は、上記押しボタンスイッチが操作されるとこれを検出し、現在表示しているキャラクタをその円盤状記録媒体の属性とともに記憶するように上記記憶手段を制御する。
【００７０】
このような操作を繰り返すことにより、上記記憶手段には、グループの属性，該グループを構成する円盤状記録媒体の属性及び該円盤状記録媒体のタイトル等のキャラクタがグループ化されて記憶されることとなる。
【００７１】
上記円盤状記録媒体のタイトル等のようなキャラクタを入力するには、設けられた複数のキー操作が必要であるが、当該記録及び／又は再生装置は、上記回転式操作キー及び押しボタンスイッチの２つのキー操作で簡単に入力することができる。従って、上記キャラクタの入力操作を簡略化することができる。
【００７２】
次に、ユーザは、上述のように形成したグループの円盤状記録媒体の再生を行う場合、例えば再生時或いは再生一次停止時以外（停止時等）に、上記グループ指定手段を操作する。
【００７３】
上記制御手段は、上記停止時等に上記グループ指定手段が操作されるとこれを検出し、そのキーのグループの円盤状記録媒体の属性及びキャラクタを上記記憶手段から読み出す。そして、上記属性である収納部番号や媒体番号に基づいて上記円盤状記録媒体を再生するように上記再生手段を制御し、上記グループ番号，収納部番号，媒体番号及び再生する情報の情報番号，キャラクタ等を表示するように上記表示手段を制御する。また、上記制御手段は、これとともに、次に再生予定の円盤状記録媒体の収納部番号，媒体番号及びキャラクタ等を表示するように上記表示手段を制御する。
【００７４】
このように、当該記録及び／又は再生装置は、上記記憶手段によりグループを構成する円盤状記録媒体の属性及びタイトル等のキャラクタを記憶しておくことができるため、再生時には、そのグループのキーを操作するだけで該グループを構成する円盤状記録媒体の再生を行うことができる。このため、再生時毎に新たに所望の円盤状記録媒体の再生をプログラムし直すような不都合を解消することができ、利便性の向上を図ることができる。
【００７５】
また、例えば再生中（或いは再生一次停止中）にグループ指定手段が操作されると該再生中の円盤状記録媒体をグループ登録し、再生中以外にグループ指定手段が操作されるとそのグループの円盤状記録媒体を再生するようにすることにより、１つのキーで２通りの使い方を実現することができ、設けるキーの数を削減してローコスト化を図ることができる。
【００７６】
また、現在再生中の円盤状記録媒体の収納部番号や媒体番号等の他に、次に再生予定の収納部番号や媒体番号等を表示することができるため、ユーザにそのグループがどのような円盤状記録媒体で構成されるのかを認識し易くすることができる。
【００７７】
次に、当該記録及び／又は再生装置は、上記グループ登録した円盤状記録媒体の再生を行う場合、所望の円盤状記録媒体を検索することができるようになっている。
【００７８】
すなわち、この検索を行う場合、ユーザは、上記グループ指定手段である所望のキーを操作した後に、上記回転式操作キーを回転操作する。この状態で上記回転式操作キーが回転操作されると上記制御手段はこれを検出し、該回転操作に応じて上記記憶手段に記憶されている収納部番号及びタイトル等のキャラクタを順に読み出して更新表示するように表示手段を制御する。
【００７９】
ユーザは、上記表示手段に表示される上記収納部番号，タイトル等を見ながら情報の検索を行い、所望のタイトル等が表示されたときに、上記押しボタンスイッチを操作する。
【００８０】
上記制御手段は、上記押しボタンスイッチが操作されるとこれを検出し、現在表示されている円盤状記録媒体の再生を行うように上記再生手段を制御する。
【００８１】
所望の円盤状記録媒体を検索可能とするためには、複数のキーを設ける必要があるが、当該記録及び／又は再生装置は、上記回転式操作キー及び押しボタンスイッチで所望の円盤状記録媒体の検索を可能とすることができる。このため、設けるキーの数を削減してキーを設ける面積の縮小化を図ることができ、ローコスト化を図ることができる。
【００８２】
次に、本発明に係る記録及び／又は再生装置は、複数の円盤状記録媒体から所望の円盤状記録媒体を選択するとともに、該選択した円盤状記録媒体に記録されている複数の情報の中から所望の情報を選択し、これをグループ登録することにより、該グループ毎の情報の再生を可能としたものである。
【００８３】
上記複数の円盤状記録媒体を収納する収納ユニットとしては、上記複数の円盤状記録媒体をそれぞれ縦向きに、かつ放射状に収納可能とされ、中心軸を中心として回転可能とされたロータリーテーブルが設けられており、このロータリーテーブルから円盤状記録媒体を再生手段に装着して情報の再生を行うようになっている。
【００８４】
上記グループ登録を行うには、上述のように上記回転式操作キー及び押しボタンスイッチを操作して所望の円盤状記録媒体及び所望の情報を選択指定する。
【００８５】
すなわち、上記制御手段は、上記回転式操作キーが時計方向に回転操作されたことを検出すると、例えば上記収納ユニット上の収納部毎に連続して付されている収納部番号或いは円盤状記録媒体毎に付されている媒体番号を、該回転式操作キーの回転位置に応じて１ずつ加算して表示するように表示手段を制御する。また、上記回転式操作キーが反時計方向に回転操作されたことを検出すると、上記収納部番号或いは媒体番号を、該回転式操作キーの回転位置に応じて１ずつ減算して表示するように表示手段を制御する。
【００８６】
次にユーザは、上記表示手段に所望の円盤状記録媒体を示す収納部番号或いは媒体番号が表示されたときに上記押しボタンスイッチを操作する。これにより、上記制御手段は、上記押しボタンスイッチが操作されたことを検出して、例えばその円盤状記録媒体の属性（上記収納部番号，媒体番号等）を表示するように表示手段を制御するとともに、該円盤状記録媒体に記録されている情報を順に再生するように再生手段を制御する。
【００８７】
次に、このように選択した円盤状記録媒体からさらに所望の情報の選択を行う場合、ユーザは、上記回転式操作キー及び押しボタンスイッチを操作して所望の情報を選択指定する。
【００８８】
すなわち、上記制御手段は、上記回転式操作キーが時計方向に回転操作されたことを検出すると、例えば上記円盤状記録媒体に記録されている情報の情報番号を該回転式操作キーの回転位置に応じて１ずつ加算して表示するように表示手段を制御する。また、上記回転式操作キーが反時計方向に回転操作されたことを検出すると、上記情報番号を該回転式操作キーの回転位置に応じて１ずつ減算して表示するように表示手段を制御する。
【００８９】
次にユーザは、上記表示手段に所望の情報番号が表示されたときに上記押しボタンスイッチを操作する。これにより、上記制御手段は、上記押しボタンスイッチが操作されたことを検出して、例えばその情報番号の属性を表示するように表示手段を制御するとともに、該選択された情報を再生するように再生手段を制御する。
【００９０】
複数の円盤状記録媒体から所望の円盤状記録媒体及び所望の情報を選択可能とするためには、この選択用の複数のキーを設ける必要があるが、このように回転式操作キー及び押しボタンスイッチを設けることにより、上記所望の円盤状記録媒体及び所望の情報の選択操作を簡素化することができるうえ、設けるキーの数を削減することができる。このため、キーの設置面積の縮小化及びローコスト化を図ることができる。
【００９１】
また、例えば上記回転式操作キーの中央部に上記記憶指定キーを設け、該回転式操作キーと上記記憶指定キーとを一体構成することにより、片手で上記回転式操作キー及び上記記憶指定キーの操作を可能とすることができ、上記円盤状記録媒体等の選択操作のさらなる簡素化を図ることができるうえ、キーの設置面積の縮小化を図ることができる。
【００９２】
次に、ユーザは、グループ指定手段を用いて、上記回転式操作キー及び押しボタンスイッチにより指定した円盤状記録媒体が属するグループを指定する。
【００９３】
上記グループ指定手段は、例えば上述のようにユーザにより予め決められたグループを示す複数のキーで構成されており、ユーザは、上記選択した情報の例えば再生中（或いは再生一次停止中）に該グループ指定手段の所望のキーを操作する。これにより、上記制御手段が上記グループ指定手段の操作を検出して、そのキーが示すグループの属性（グループ番号等）及び該円盤状記録媒体の属性（収納部番号，媒体番号等），情報の属性を表示するように表示手段を制御するとともに、上記グループ番号，収納部番号，媒体番号，情報番号等を記憶するように上記記憶手段を制御する。
【００９４】
これにより、上記再生中の情報が、上記操作したグループ指定手段のキーで示されるグループ内に登録される。
【００９５】
このような操作を繰り返し行うことにより、上記記憶手段には、共通性を有する円盤状記録媒体及び情報のグループが形成される。
【００９６】
次に、当該記録及び／又は再生装置は、このようにグループ登録された情報毎にタイトル等のキャラクタを付加することができるようになっている。
【００９７】
すなわち、このキャラクタの入力を行う場合、ユーザは、上記グループ指定手段を操作してキャラクタの入力を行うグループを指定するとともに、キャラクタ入力指定手段を操作する。上記制御手段は、上記キャラクタ入力指定手段が操作されるとキャラクタ入力モードとなる。
【００９８】
この状態において、ユーザは、上記回転式操作キーを操作する。これにより、上記制御手段は、上記回転式操作キーの回転操作に応じて上記グループ登録されている円盤状記録媒体の収納部番号，媒体番号及び情報等の属性を上記記憶手段から順に読み出して表示するように表示手段を制御するとともに、キャラクタメモリに予め記憶されているカタカナ，漢字，数字，画像等のキャラクタを順に読み出して表示するように表示手段を制御する。
【００９９】
ユーザは、上記表示手段に表示されるキャラクタを見ながらキャラクタを選択し、所望のキャラクタが表示されたときに上記押しボタンスイッチを操作する。上記制御手段は、上記押しボタンスイッチが操作されるとこれを検出し、現在表示しているキャラクタをその円盤状記録媒体及び情報の属性とともに記憶するように上記記憶手段を制御する。
【０１００】
このような操作を繰り返すことにより、上記記憶手段には、グループの属性，該グループを構成する円盤状記録媒体の属性，情報の属性及び該情報のタイトル等のキャラクタがグループ化されて記憶されることとなる。
【０１０１】
上記情報のタイトル等のようなキャラクタを入力するには、設けられた複数のキー操作が必要であるが、当該記録及び／又は再生装置は、上記回転式操作キー及び押しボタンスイッチの２つのキー操作で簡単に入力することができる。従って、上記キャラクタの入力操作を簡略化することができる。
【０１０２】
次に、ユーザは、上述のように形成したグループの情報の再生を行う場合、例えば再生時或いは再生一次停止時以外（停止時等）に、上記グループ指定手段を操作する。
【０１０３】
上記制御手段は、上記停止時等に上記グループ指定手段が操作されるとこれを検出し、そのキーのグループの円盤状記録媒体の属性，再生する情報の属性及びキャラクタを上記記憶手段から読み出す。そして、上記属性である収納部番号や媒体番号，アドレス等に基づいて上記円盤状記録媒体に記録されている情報を再生するように上記再生手段を制御し、上記グループ番号，収納部番号，媒体番号及び再生する情報の情報番号，キャラクタ等を表示するように上記表示手段を制御する。また、上記制御手段は、これとともに、次に再生予定の円盤状記録媒体の収納部番号，媒体番号及びキャラクタ等を表示するように上記表示手段を制御する。
【０１０４】
このように、当該記録及び／又は再生装置は、上記記憶手段によりグループを構成する円盤状記録媒体の属性、情報の属性及びタイトル等のキャラクタを記憶しておくことができるため、再生時には、そのグループのキーを操作するだけで該グループを構成する情報の再生を行うことができる。このため、再生時毎に新たに所望の情報の再生をプログラムし直すような不都合を解消することができ、利便性の向上を図ることができる。
【０１０５】
また、例えば再生中（或いは再生一次停止中）にグループ指定手段が操作されると該再生中の情報をグループ登録し、再生中以外にグループ指定手段が操作されるとそのグループの情報を再生するようにすることにより、１つのキーで２通りの使い方を実現することができ、設けるキーの数を削減してローコスト化を図ることができる。
【０１０６】
また、現在再生中の情報の情報番号及びキャラクタ等の他に、次に再生予定の情報の情報番号やキャラクタ等を表示することができるため、ユーザにそのグループがどのような情報で構成されるのかを認識し易くすることができる。
【０１０７】
次に、当該記録及び／又は再生装置は、上記グループ登録した円盤状記録媒体の再生を行う場合、所望の円盤状記録媒体を検索することができるようになっている。
【０１０８】
すなわち、この検索を行う場合、ユーザは、上記グループ指定手段である所望のキーを操作した後に、上記回転式操作キーを回転操作する。この状態で上記回転式操作キーが回転操作されると上記制御手段はこれを検出し、該回転操作に応じて上記記憶手段に記憶されている収納部番号，情報番号及びキャラクタ等の属性を順に読み出して更新表示するように表示手段を制御する。
【０１０９】
ユーザは、上記表示手段に表示される上記収納部番号，タイトル等を見ながら情報の検索を行い、所望のタイトル等が表示されたときに、上記押しボタンスイッチを操作する。
【０１１０】
上記制御手段は、上記押しボタンスイッチが操作されるとこれを検出し、現在表示されている情報の再生を行うように上記再生手段を制御する。
【０１１１】
所望の円盤状記録媒体及び所望の情報を検索可能とするためには、複数のキーを設ける必要があるが、当該記録及び／又は再生装置は、上記回転式操作キー及び押しボタンスイッチで所望の円盤状記録媒体及び所望の情報の検索を可能とすることができる。このため、設けるキーの数を削減してキーを設ける面積の縮小化を図ることができ、ローコスト化を図ることができる。
【０１１２】
【実施例】
以下、本発明に係る記録及び／又は再生装置の好ましい実施例について図面を参照しながら詳細に説明する。
【０１１３】
本発明に係る記録及び／又は再生装置は、図１に示すような円盤状記録媒体の再生装置に適用することができる。
【０１１４】
上記図１において、上記円盤状記録媒体の再生装置は、ほぼ箱形の筺体内に円形のロータリテーブル１が回転自在に収容され、このロータリーテーブル１に例えば１００枚の光ディスクＤが、放射状に、かつそれぞれ縦向きに収納されている。このロータリーテーブル１は、図３及び図４に示すように、筺体２の下板２ａから上方に突出する支軸３を中心に時計方向及び反時計方向に回転自在とされている。このロータリーテーブル１は、また、図４に示すように、その中心からそれぞれ半径方向に１００個のスリット４が放射状に設けられている。このロータリーテーブル１には、図３に示すように、その下部における同心円上の位置に筒状の支持部材５が固着されている。この支持部材５は、上記スリット４に対応した位置に光ディスクＤの外周に沿った溝６が形成されて、スリット４に光ディスクＤを差し込んだ（セットした）とき、光ディスクＤが下方に抜け落ちないように構成されている。
【０１１５】
また、スリット４は、図４に示すように、内周側端部４ａ及び外周側端部４ｂの各最先端部分の幅が光ディスクＤの厚みとほぼ同じに設定され、更に、内周側から外周側に向けてその幅が連続的に広くなるように、かつ外周側端部の途中から最先端部にかけてその幅が連続的に狭くなるように形成されている。従って、スリット４に光ディスクＤをセットした際、スリット４の内周側端部４ａ及び外周側端部４ｂにて光ディスクＤを支持するかたちになる。即ち、このスリット４は、ロータリーテーブル１の回転時又は光ディスクＤのセット時などにおいて、光ディスクＤの記録領域にスリットの側壁が衝突しない構造となっており、ロータリーテーブル１の回転時又は光ディスクＤのセット時において光ディスクＤに与える損傷は皆無となる。
【０１１６】
上記ロータリーテーブル１は、図３に示すように、その外周に沿って多数のギヤ歯が形成されて一つのギヤ部７を構成しており、後述する回転駆動機構における一つのギヤ（駆動ギヤ）と噛合されて回転するようになっている。また、このロータリーテーブル１は、上記ギヤ部７の上部に、外周に沿って多数の凹部８が形成されている。この凹部８は、スリット４に対応した位置に設けられており、この例では、１００個設けられている（図４参照）。
【０１１７】
また、この再生装置は、図１に示すように、その前面から奥行き方向に向かって出入れ口９が設けられており、ロータリーテーブル１の一部（ほぼ１／４）が出入れ口９を通して前方及び上方に臨むようになっている。即ち、ロータリーテーブル１の上記一部に対して操作者が光ディスクＤをセットできる、あるいは上記一部にセットされている光ディスクＤを抜き取ることができるようになっている。なお、再生装置内へのほこり等の侵入を防止するなどの目的のために透明プラスチック製の蓋１０が上記出入れ口９に対して開閉自在に取り付けられている。そして、例えば光ディスクＤの再生時、あるいは使用しないときに、上記蓋１０を出入れ口９に対して閉状態にすることにより、装置内へのほこりの侵入を防止することができる。
【０１１８】
また、この再生装置は、その前面に操作パネル１１が設けられている。ここで、この操作パネル１１に設置されている主要な操作スイッチ、ボタン等を説明すると、図２の拡大図に示すように、操作パネル１１の向かって左側上部に電源スイッチ２１が配置され、向かって右側上部に光ディスクＤに対する再生関係の操作キー（再生キー、１トラックジャンプキー、一時停止キー、停止キー）２２が配置され、また、操作パネル１１の中央下部に１０個のグループキー２３（第１グループキー２３ａ〜第１０グループキー２３ｊ）が配置され、第１グループキー２３ａの上側にグループエントリーキー２４が配置され、このグループエントリーキー２４の左側にメモ入力キー２５が配置されている。また、各グループキー２３の上部にはそれぞれ赤と緑に発光するＬＥＤが設けられている。
【０１１９】
さらに、本実施例に係る再生装置においては、上記グループエントリーキー２４の右側に並んで、所望の曲のみを集めたグループの形成及び再生を指定するための第１〜第４の計４つのミュージッククリップキー２５１〜２５４及び該各ミュージッククリップキー２５１〜２５４の右側に該ミュージッククリップキー２５１〜２５４でクリップファイルされた曲の消去を行うためのイレースキー２５５が設けられている。
【０１２０】
そして、本実施例に係る再生装置においては、操作パネルの向かって右側下部に回転式操作キー２６が配置され、その左側にファイルキー３２が配置されている。この回転式操作キー２６は、その中央に操作パネル１１に対して固定とされたデータ設定用の押しボタンスイッチ２７を有する。回転式操作キー２６は、１回転につき例えば１０回の停止ポイント（クリック）があり、そのクリック毎にデータが更新されるようになっている。例えば右側に回転させたときデータが正（＋）更新され、左側に回転させたとき負（−）更新されるようになっている。
【０１２１】
上記操作パネル１１の中央部分には、例えば液晶ディスプレイやＦＬ管等で構成された表示部２８が設置されている。この表示部２８は、選択されたあるいは現在のグループ番号が表示されるグループ番号表示領域２９と、選択されたあるいは現在のディスク番号に関するメモ（タイトル等）が表示されるメモ表示領域３０と、現在再生中あるいは選択された光ディスクＤのディスク番号と次回再生される光ディスクＤのディスク番号が表示される第１及び第２のディスク番号表示領域３１ａ，３１ｂを有する。
【０１２２】
このような円盤状記録媒体の再生装置の機構は、図３に示すようにロータリーテーブル１を時計方向及び反時計方向に回転駆動して、例えば上記操作パネル１１の各種キーによって選択された光ディスクＤを所定位置（ローディング位置Ａ）に回転搬送する回転駆動機構４１と、ローディング位置Ａに回転搬送された光ディスクＤをスリット４から取り出して後述する再生ユニットの装着位置Ｂまで搬送するローディング機構４２と、ローディング機構４２にて搬送された光ディスクＤに対して情報信号の再生を行う再生ユニット４３と、ロータリーテーブル１の回転位置を検出する回転位置検出機構４４とを有する。
【０１２３】
上記回転搬送機構４１は、図３に示すように、筺体２内の例えば一つのコーナ部分に設置されたモータ４５と、ギヤ列による減速機構４６にて構成されており、この減速機構４６を構成する一つの駆動ギヤ４７とロータリーテーブル１のギヤ部７とが常時噛合されている。そして、モータ４５の回転駆動によるモータ４５の回転軸の回転力がベルト４８を介して減速機構４６に伝達されるようになっており、上記モータ４５の回転軸の回転力がこの減速機構４６によって減速されて、最終的に駆動ギヤ４７を介してロータリーテーブル１のギヤ部７に伝達されて、ロータリーテーブル１が回転するようになっている。上記モータ４５は、正転及び逆転を行うタイプのもので、これにより、ロータリーテーブル１も時計方向及び反時計方向に回転する。
【０１２４】
ローディング機構４２は、筺体２内の上記回転駆動機構４１が設置されたコーナー部とは別のコーナー部に設置されており、基本的には、図３に示すように、上記コーナー部の上方において、ローディング位置Ａに存する光ディスクＤにおけるロータリーテーブル１の中心を臨む位置から上記コーナー部に向けて斜め上方に延びるように架設されたガイドレール４９と、上記コーナー部の下部に設置され、ローディング位置Ａに存する光ディスクＤの上記コーナー部を臨む外周面を２点支持しながら、この光ディスクＤを上方、即ち再生ユニット４３の装着位置Ｂまで回転搬送する搬送手段５０とを有する。
【０１２５】
ガイドレール４９は、光ディスクＤとの対向面４９ａが湾曲形状に形成され、この湾曲形状は、立ち上がり部分がほぼ円弧に沿った形とされ、上方に向かってやや偏平に形成されて、例えば幾何学的にみたとき、横方向を長軸とする楕円の第１象限の形に沿った形状とされている。なお、このガイドレール４９は、ロータリーテーブル１の中心軸３を上方から支持し、かつ上記コーナー部に向かって架設された金属製の固定板５１に対して、回転自在に取り付けられている。詳しくは、ガイドレール４９の下端部に設けられた軸５２を中心に回転自在に取り付けられている。
【０１２６】
搬送手段５０は、一つの支軸５３を共通の回転中心とする第１及び第２のアーム５４及び５５と、上記支軸５３とは別の支軸５６を回転中心とし、この支軸５６の偏心位置に第１及び第２のアーム５４及び５５に形成されたカム溝５７及び５８に挿通されるピン５９が植立されたカム６０とを有する。このカム６０は、ローディング位置Ａの斜め下方に設置されたモータ６１によって回転駆動される。また、上記共通の支軸５３の部分にトーションばね６２が取り付けられており、このトーションばね６２は、上記第１及び第２のアーム５４及び５５の各先端部分（後述するローラが設けられた部分）を閉じる方向に付勢するように取り付けられている。
【０１２７】
第１のアーム５４は、図６に示すように、その上部において、ロータリーテーブル方向と筺体２の上記コーナー部方向に逆への字状に湾曲しながら延びる駆動片６３と、この駆動片６３の下部中央からロータリーテーブル方向にほぼＬ字状に屈曲しながら延びる操作片６４とが合成樹脂にて一体に形成されて構成されており、カム溝５７は、上記駆動片６３のほぼ中央部分において、その駆動片６３の湾曲に沿って逆への字状に湾曲して形成されている。また、この駆動片６３の右側端部に回転中心である共通の支軸５３が挿通されるようになっている。
【０１２８】
操作片６４の先端部は、通常状態（ローディング位置Ａにある光ディスクＤに対して回転搬送しない状態）のとき、ローディング位置Ａにある光ディスクＤの斜め下方に位置するように位置決めされており、この先端部には、操作片６４に対して回転自在に支持されたローラ６５が取り付けられている。
【０１２９】
従って、第１のアーム５４が支軸５３を中心に反時計回りに回転することにより、ローラ６５の底部が光ディスクＤの外周面（特に、図面上、左斜め下方の位置）に当接し、更に第１のアーム５４が回転することにより、光ディスクＤを斜め上方に持ち上げて、ガイドレール４９の対向面に接触させる。そして、更に第１のアーム５４が回転することにより、光ディスクＤがガイドレール４９の対向面４９ａに沿って上方に回転搬送されることとなる。
【０１３０】
一方、第２のアーム５５は、その下部において、ロータリーテーブル方向と筺体２の上記コーナー部方向に逆への字状に湾曲しながら延びる駆動片６６と、この駆動片６６の上部片側（ロータリーテーブル１側）から上方にほぼＬ字状に屈曲しながら延びる検出片６７とが合成樹脂にて一体に形成されて構成されており、カム溝５８は、上記駆動片６６のほぼ中央部分に形成されている。
【０１３１】
このカム溝５８は、図示の例では、図面上、左端から全長の１／３の長さの部分（第１の部分５８ａ）までは、第１のアーム５４におけるカム溝５７と同じ形を有する。そして、この１／３の位置から図面上、右端に向かう下の部分（第２の部分５８ｂ）は、その１／２の長さの部分までが下方を凸とする円弧状で、かつ第１の部分５８ａにおける円弧に連続した円弧状に形成され、残りの１／２の長さの部分（第３の部分５８ｃ）が直線状に形成され、上記１／３の位置から右端に向かう上の部分（第４の部分５８ｄ）は、上方を凸とする円弧状に形成されている。
【０１３２】
即ち、第１の部分５８ａから第２の部分５８ｂにかけての形状は、第１のアーム５４に形成されたカム溝５７と同じ円弧状とされている。また、これらの円弧（第１のアーム５４におけるカム溝５７の円弧及び第２のアーム５５におけるカム溝５８の第１の部分５８ａから第２の部分５８ｂにかけての円弧）は、図１４に示すように、カム６０の支軸５６を曲率中心とした円弧となっている。
【０１３３】
また、上記第２のアーム５５における駆動片６６のロータリーテーブル側端部には、回転中心である共通の支軸５３が挿通されるようになっている。検出片６７の先端部は、通常状態（ローディング位置Ａにある光ディスクＤに対して回転搬送しない状態）のとき、ローディング位置Ａにある光ディスクＤの斜め上方に位置するように位置決めされており、この先端部には、検出片６７に対して回転自在に支持されたローラ６８が取り付けられている。
【０１３４】
従って、この第２のアーム５５が支軸５３を中心に時計方向に回転することにより、ローラ６８の底部が光ディスクＤの外周面（特に、図面上、左斜め上方の位置）に当接して、それ以上の回転が阻止されるようになっている。
【０１３５】
反対に、ローディング位置Ａに光ディスクＤが存在しない場合は、上記第２のアーム５５における時計方向への回転が進み、そのコーナー部側端部５５ａが上方に回転移動することになる。本実施例においては、ローディング位置Ａに光ディスクＤが存在しないことによって上記第２のアーム５５のコーナー部側端部５５ａが回転する軌跡上、即ち、光ディスクＤが存在した場合における第２のアーム５５に対する回転阻止の位置よりも更に回転が進んだ場合の回転軌跡上に検出スイッチ７０が設けられている。従って、この検出スイッチ７０の接触子が第２のアーム５５のコーナー部側端部５５ａによって押圧されたとき、例えば検出スイッチ７０がオンとなり、上記ローディング位置Ａに光ディスクＤが存在しないことを電気的に認識することができる。
【０１３６】
次に、このローディング機構の具体的動作を説明する。
【０１３７】
まず、図３及び図６で示す通常状態からカム６０が支軸５６を中心に時計方向に回転すると、その初期段階においては、図７に示すように、カム６０のピン５９が第１のアーム５４におけるカム溝５７の上面及び第２のアーム５５におけるカム溝５８の第１の部分５８ａから第２の部分５８ｂにわたる上面を上方に押し上げるかたちとなるため、第１及び第２のアーム５４及び５５は、共通の支軸５３を中心に、図面上、時計方向に回転し、このカム６０の回転が進むにつれて第２のアーム５５の先端部分（ローラ６８）がローディング位置Ａにある光ディスクＤに近づくこととなる。そして、上記第２のアーム５５の先端部分６８が光ディスクＤに当接することにより、この第２のアーム５５の時計方向への回転が停止する。このとき、第２のアーム５５のコーナー部側端部５５ａは、検出スイッチ７０から十分離れた位置にある。
【０１３８】
次に、カム６０が更に時計方向に回転すると、図８に示すように、カム６０のピン５９が、第１のアーム５４におけるカム溝５７の上面を上方に押し上げるかたちとなるが、第２のアーム５５に対しては、第２のアーム５５における先端部分６８が光ディスクＤに当接していることと、カム６０のピン５９がカム溝５８の第４の部分５８ｄの上面に沿って回転移動することから、第１のアーム５４のみが共通の支軸５３を中心に時計方向に回転することになる。
【０１３９】
なお、ローディング位置Ａに光ディスクが無い場合は、図１４に示すように、第２のアーム５５の回転を規制するものがないため、トーションばね６２の付勢によって、第２のアーム５５は、そのカム溝５８における第２の部分５８ｂの下面がカム６０のピン５９に当接するまで時計方向に回転することになり、それに伴って、第２のアーム５５のコーナー部側端部５５ａが上方に回転移動し、検出スイッチ７０をオンにする。
【０１４０】
次に、図８の状態から、カム６０が更に時計方向に回転すると、図９に示すように、カム６０のピン５９が、今度は、第１のアーム５４におけるカム溝５７の下面を下方に押し下げるかたちとなるため、第１のアーム５４は、共通の支軸５３を中心に、今度は、反時計方向に回転することになり、このカム６０の回転が進むにつれて第１のアーム５４の先端部分（ローラ６５）がローディング位置Ａにある光ディスクＤに近づくこととなる。この場合も、第２のアーム５５に対しては、第２のアーム５５における先端部分６８が光ディスクＤに当接していることと、カム６０のピン５９がカム溝５８の第４の部分５８ｄの上面に沿って回転移動することから、第２のアーム５５は、停止したままである。
【０１４１】
次に、カム６０が更に時計方向に回転すると、図１０に示すように、カム６０のピン５９が、第１のアーム５４におけるカム溝５７の下面を更に下方に押し下げるかたちとなるため、第１のアーム５４の先端部分６５が光ディスクＤに当接し、このカム６０の回転が進むにつれて第１のアーム５４の先端部分６５が光ディスクＤをガイドレール４９の湾曲面４９ａに向けて押し上げることとなる。このとき、第２のアーム５５も光ディスクＤの斜め上方への移動に伴って共通の支軸５３を中心に反時計方向に回転することになる。
【０１４２】
次に、カム６０が更に時計方向に回転すると、図１１及び図１２に示すように、カム６０のピン５９が、第１のアーム５４におけるカム溝５７の下面を更に下方に押し下げるかたちとなるため、光ディスクＤは、まず、ガイドレール４９の湾曲面４９ａに接触する。カム６０の回転が更に進むと、第１のアーム５４が光ディスクＤを、図面上、右斜め上方に向けて押し上げることから、光ディスクＤは、ガイドレール４９の湾曲面４９ａに沿って、図面上、左斜め上方に向かって回転搬送されることになる。
【０１４３】
このとき、第２のアーム５５に対しては、カム６０のピン５９が、カム溝５８の第３の部分５８ｃに沿いながらその下面を下方に押し下げるかたちとなるため、この第２のアーム５５は、光ディスクＤから僅かに離間した位置まで反時計方向に回転する。これにより、第２のアーム５５の光ディスクＤに対する図面上、右斜め下方への押圧力（トーションばね６２の付勢によって生じる押圧力）が作用しなくなるため、光ディスクＤは、スムーズにガイドレール４９の湾曲面４９ａに沿って回転搬送されることになる。
【０１４４】
次に、カム６０が更に時計方向に回転すると、図１３に示すように、カム６０のピン５９が、第２のアーム５５におけるカム溝５８の第３の部分５８ｃの下面を下方に押し下げながらこの第３の部分５８ｃに沿って回転移動するかたちとなり、更にカム６０が回転すると、ピン５９は、第３の部分５８ｃから第２の部分５８ｂに向かって回転移動する。ピン５９がちょうど第３の部分５８ｃと第２の部分５８ｂとの境界部分にきたとき、光ディスクＤは装着位置Ｂに到達し、第１及び第２のアーム５４及び５５の各先端部分６５及び６８にて２点支持されることになる。
【０１４５】
また、このとき、第１のアーム５４におけるカム溝５７と第２のアーム５５におけるカム溝５８の第１及び第２の部分５８ａ及び５８ｂが一致し、カム６０のピン５９は各カム溝が一致した部分を回転移動することになる。この場合、その重なった部分における円弧の曲率中心がカム６０の支軸５６と同じであるため、ピン５９がこの重なった部分のいずれの位置で停止しても、光ディスクＤは装着位置Ｂで停止した状態を維持する。
【０１４６】
このように、上記ローディング機構４２においては、モータ６１の回転駆動により回転するカム６０にピン５９を設け、このピン５９が第１及び第２のアーム５４及び５５の各カム溝５７及び５８を貫通する構成をとることにより、上記カム６０の回転により、第１及び第２のアーム５４及び５５を同時に回転させることができ、かつカム溝５７及び５８の形状の変化、特に、第２のアーム５５におけるカム溝５８の第１の部分５８ａから第３の部分５８ｃにかけての形状の変化で第１及び第２のアーム５４及び５５の先端部（ローラ６５及び６８）の距離Ｃを各アーム５４及び５５の回転中に変化させることが可能となる。
【０１４７】
これは、カム６０の時計方向の回転によりローディング位置Ａに置かれた光ディスクＤが、各アーム５４及び５５の反時計方向の回転で蹴り上げられ、ガイドレール４９の湾曲面４９ａ及び両アーム５４及び５５の先端部６５及び６８に規制されながら光ディスクＤを再生ユニット４３の装着位置Ｂまで搬送されるときの光ディスクＤの搬送軌跡に各アーム５４及び５５の先端部６５及び６８が追従されることになる。即ち、ガイドレール４９の設定によって、光ディスクＤの軌跡を自由に変化させることが可能となる。
【０１４８】
従って、各アーム５４及び５５の先端部６５及び６８の距離Ｃを固定とした場合の完全円弧状の搬送軌跡Ｄに対して、高さ方向に低い楕円状の搬送軌跡Ｅをとることが可能となり、省スペースの機構を実現することができる。なお、カム６０の回転角は、リブ７１と２ポジションスイッチ７２によって定められており、この例では、３６０°となっている。
【０１４９】
また、図６〜図１４で示す動作からもわかるように、各アーム５４及び５５の初期段階の回転方向は、第１のアーム５４のカム溝５７の形状により、カム６０のピン５９が支軸５６に対して鉛直上に位置するまで、時計方向の回転となる。このとき、第２のアーム５５の先端部６８がローディング位置Ａに存する光ディスクＤの外周に接触するが、もし光ディスクＤがローディング位置Ａに存在しない場合は、上記第２のアーム５５は、更に時計方向に回転し、そのコーナー部側端部５５ａで検出スイッチ７０を例えばオンにする。
【０１５０】
つまり、第２のアーム５５のカム溝５８の形状によって、各アーム５４及び５５の回転駆動が始まってから初期の段階である早い時点での光ディスクＤの検出が可能となる。更に、第１のアーム５４のカム溝５７の円弧及び第２のアーム５５のカム溝５８の第１の部分５８ａから第２の部分５８ｂにかけての円弧の曲率中心をカム６０の回転中心（支軸５６）と同じにしているため、光ディスクＤの装着位置Ｂにおけるカム６０の停止角度に余裕ができる。
【０１５１】
これは、ピン５９が第１のアーム５４におけるカム溝５７の円弧の部分と第２のアーム５５におけるカム溝５８の第１の部分５８ａから第２の部分５８ｂにかけての円弧の部分とが重なった部分のいずれの位置で停止しても、再生ユニット４３の装着位置Ｂに搬送された光ディスクＤの位置には変化はなく、信頼性の高い光ディスクＤの装着を実現することができる。
【０１５２】
なお、この再生装置のローディング機構４２に対応する箇所には、ストッパ機構７３が設けられている。このストッパ機構７３は、筺体２の下板２ａに設けられた支軸７４を中心に回転自在に取り付けられたストッパ片７５を有する。このストッパ片７５は、その上部がロータリーテーブル方向と筺体２の上記コーナー部方向に延びる形状を有し、このストッパ片７５のロータリーテーブル側端下部から筺体２の下板２ａにかけて引っ張りばね７６が取り付けられている。従って、このストッパ片７５は、上記ばね７６によって、常時、支軸７４を中心に時計方向に回転付勢されている。
【０１５３】
また、このストッパ片７５は、そのコーナー部側端部に、上方に向かってテーパ状に形成された規制部７７を有し、この規制部７７が、上記カム６０のピン５９に当接することによって、ストッパ片７５の時計方向への回転が規制されている。また、ストッパ片７５は、そのロータリーテーブル側端上部に、上方に突出するストッパピン７８を有する。
【０１５４】
そして、ローディング機構４２のローディング動作に伴って、カム６０のピン５９が時計方向に回転すると、ストッパ片７５も支軸７４を中心に時計方向に回転することになる。このとき、ストッパ片７５のロータリーテーブル側端上部に設けられているストッパピン７８が、ロータリーテーブル１の外周に設けられている多数の凹部８中、ローディング位置Ａに対応した位置にある凹部８に嵌合する。このストッパピン７８の凹部８への嵌合によって、ロータリーテーブル１の回転が規制される。従って、このストッパ機構７３は、光ディスクＤの再生時及び光ディスクＤのローディング過程における保護機構を構成する。
【０１５５】
この例では、各凹部８の開口幅Ｌをストッパピン７８の径よりも僅かに大きく設定してある。そのため、ロータリーテーブル１の停止角度に多少の誤差が生じても光ディスクＤを正規のローディング位置Ａに補正することが可能となる。
【０１５６】
次に、再生ユニット４３は、図１７に示すように、光ディスクＤが装着されるターンテーブル８１が先端に取り付けられたスピンドルモータ（図示せず）と、光ディスクＤの記録面にレーザビームを照射してピットの情報に応じた信号を再生する光学ピックアップ８２とを有する。この光学ピックアップ８２は、既知のスライド機構、例えば二軸のリニアモータにて、光ディスクＤの径方向に移動可能とされている。
【０１５７】
これらスピンドルモータ及び光学ピックアップ８２は、箱状に形成された匣体８３内に組み込まれている。また、ロータリーテーブル１の中心軸３からコーナー部に延びる固定板５１に、支持板８４が支軸８５を中心に回転自在に支持されており、上記匣体８３は、この支持板８４に、フローティング手段８６を介して弾性的に支持された揺動板８７に対して垂下するように固定されている。揺動板８７は３箇所に穴が設けられ、支持板８４は、その穴に対応した箇所において上方に突出し、かつ上記穴に挿通する突起８８が一体に形成されている。そして、上記フローティング手段８６は、揺動板８７と支持板８４間において、上記突起８８に挿通されるスプリング８９と、揺動板８７に穴を囲むようにして設けられたダンパー９０とから構成されている。このフローティング手段８６は、突起８８に対応して３箇所設けられている。
【０１５８】
また、揺動板８７は、各フローティング手段８６の設置位置の近傍にそれぞれ挿通孔９１（３箇所）が設けられている。また、支持板８４は、上記揺動板８７の各挿通孔９１と対応する箇所に、挿通孔９１に選択的に挿通されるロックピン９２が一体に形成されている。このロックピン９２は、先端部分の径が僅かに小とされており、また、上記揺動板８７の挿通孔９１の径も、上記ロックピン９２の先端部分の径とほぼ同じに設定されている。従って、ロックピン９２の先端部分が、揺動板８７の挿通孔９１に挿通されたとき、揺動板８７の挿通孔周辺部分がロックピン９２の径大部の上面に当接して、揺動板８７のそれ以上の下方への移動が阻止されるようになっている。
【０１５９】
そして、この再生装置においては、上記フローティング手段８６による弾性力を規制するロック手段９３が設けられている。このロック手段９３は、揺動板８７の上方において、この揺動板８７の幅方向に延びるロックレバー９４を有する。このロックレバー９４は、その一方の端部が、支持板８４の側端面に支軸９５を介して回転自在に取り付けられている。また、このロックレバー９４の他方の端部には、その上部の、図面上、左側に第１の取付け部材９６が固着されており、上記支持板８４の下面中、上記揺動板８７の取付け部材９６に対応する箇所に第２の取付け部材９７が固着されている。そして、これら取付け部材９６及び９７間に、引っ張りばね９８が取り付けられている。
【０１６０】
従って、自然状態では、上記ロックレバー９４は、各取付け部材９６及び９７間に取り付けられた引っ張りばね９８によって、下方に回転されるように付勢され、これによって、ロックレバー９４が揺動板８７を下方に押圧することになる。従って、揺動板８７は、ダンパー９０及びスプリング８９の弾性力に抗して支持板８４に近接する方向に付勢され、支持板８４に一体化（固定化）されたかたちとなる。このとき、既に上述したように、支持板８４に配されたロックピン９２の先端部分が、揺動板８７の挿通孔９１に挿通され、かつ揺動板８７の挿通孔周辺部分がロックピン９２の径大部の上面に当接して、揺動板８７と支持板８４とは、一定の離間幅を保ちながら一体化（固定化）されることになる。
【０１６１】
また、上記ロックレバー９４は、その他方の端部に、下方に延びる舌片９８が一体に設けられている。この舌片９８の下部には、横方向に突出し、かつ後述するスライダ９９の湾曲孔１００に挿通するピン１０１が設けられている。このスライダ９９は、上下移動機構１０２によって固定板５１に対して上下方向に移動可能とされている。
【０１６２】
即ち、上下移動機構１０２は、固定板５１の再生ユニット４３の配置位置とは反対の位置に設置されており、固定板５１の中央部におけるコーナー部側に取り付けられたモータ１０３と、ギヤ列による減速機構１０４とから構成されており、この減速機構１０４を構成する各ギヤは、固定板５１にそれぞれ支軸を介して回転自在に取り付けられている。
【０１６３】
そして、モータ１０３の回転駆動によるモータ１０３の回転軸の回転力がベルト１０５を介して減速機構１０４に伝達されることにより、この減速機構１０４の最終段のギヤ（以下、主ギヤと記す）１０６に上記回転力が伝達されるようになっている。上記モータ１０３は、正転及び逆転を行うタイプのもので、これにより、主ギヤ１０６も時計方向及び反時計方向に回転する。また、この主ギヤ１０６の再生ユニット４３と対向する面には、螺旋状の溝１０７が設けられており、この螺旋溝１０７に、スライダ９９から主ギヤ１０６側に突出するピン１０８が挿通されている。このことから、この主ギヤ１０６の時計方向及び反時計方向の回転に伴って、上記スライダ９９が上下方向に移動することとなる。
【０１６４】
スライダ９９は、金属板を横断面コ字状に板金加工した形を有し、かつその上部において、再生ユニット４３側に突出する一対の突片９９ａ及び９９ｂが一体に成形された形を有する。そして、これら一対の突片９９ａ及び９９ｂ中、コーナー部側の突片９９ａに、斜め下方を凸とし、かつ上記ロックレバー９４のピン１０１が挿通する円弧状の上述した孔（湾曲孔）１００が形成されている。
【０１６５】
ところで、上記支持板８４は、固定板５１の筺体２におけるコーナー部と対向する面において支軸８５を中心に回転自在に支持されており、スライダ９９が上下移動機構１０２の駆動により下方へ移動されることによって、ロックレバー９４の他方の端部（スライダ９９側端部）が下方に回転移動されることになる。これによって、ロックレバー９４が揺動板８７を下方に押圧して揺動板８７と支持板８４とを固定化させるとともに、上記ロックレバー９４の回転に伴って、支持板８４の上下移動機構１０２側端部が支軸８５を中心に下方に向けて回転移動することとなる。
【０１６６】
そして、スライダ９９のピン１０８が螺旋溝１０７の下死点に達したとき、スライダ９９の下方への移動が停止し、上記揺動板８７は、支持板８４と一体化された状態で、かつ水平線に対して角度θほど傾いた状態となる。従って、この揺動板８７に垂下するように設けられている匣体８３（スピンドルモータ及び光学ピックアップ８２が組み込まれている）も鉛直線に対して角度θほど傾いた状態となって、匣体８３内のスピンドルモータにおけるターンテーブル８１が装着位置Ｂにある光ディスクＤに対して離間した状態となる。
【０１６７】
反対に、スライダ９９が、上下移動機構１０２によって上方に移動すると、今度は、ロックレバー９４のスライダ９９側端部が上方に回転移動されることになる。これによって、ロックレバー９４による揺動板８７の下方への押圧が解除され、揺動板８７は、フローティング手段８６を介して支持板８４に弾性的に支持されるとともに、上記ロックレバー９４の回転に伴って、支持板８４の上下移動機構１０２側端部が支軸８５を中心に上方に向けて回転移動することとなる。
【０１６８】
そして、スライダ９９のピン１０８が螺旋溝１０７の上死点に達したとき、スライダ９９の上方への移動が停止し、上記揺動板８７は、フローティング手段８６によって支持板８４に弾性支持された状態で、その板面方向が水平方向に沿うように支持される。従って、この揺動板８７に設けられている匣体８３も鉛直線に沿って垂下した状態となって、匣体８３内のスピンドルモータにおけるターンテーブル８１が装着位置Ｂにある光ディスクＤのセンター孔に挿入された状態となる。
【０１６９】
また、上記固定板５１には、スライダ９９の配置位置よりもロータリーテーブル１側の位置にチャッキング機構１１１が設置されている。このチャッキング機構１１１は、上部において固定板５１に支軸１１２を介して回転自在に支持され、かつ垂下するように支持されたホルダ１１３と、このホルダ１１３の下部、即ち、再生ユニット４３におけるスピンドルモータのターンテーブル８１に対向する位置に設けられた穴１１４にはめ込まれたマグネット付きチャッキング部材１１５とから構成されている。
【０１７０】
ホルダ１１３に設けられた上記穴１１４は、下方に向かって開口幅が連続的に小とされた鈎穴形状とされており、その厚みは、下方に向かって連続的に厚くなっている。一方、チャッキング部材１１５は、両端面にフランジが形成された円筒状のボビンと、このボビンの内部に嵌合されたリング状のマグネットから構成されている。このチャッキング部材１１５は、そのボビンのターンテーブル８１と対向する面が開口とされて、内部のマグネットがターンテーブル８１に臨むようになっている。
【０１７１】
また、上記ホルダ１１３に設けられた穴１１４の下方内周面における肉厚部１１３ａの厚みは、ボビンのフランジ間の高さとほぼ同じに設定されている。このことから、チャッキング部材１１５のボビンを上記穴１１４にはめ込んだ際、肉厚部１１３ａがボビンのフランジ間に位置することになり、また、そのフランジ間と肉厚部１１３ａ間に僅かな遊びも無くなるため、チャッキング部材１１５がこの穴１１４から抜け落ちるということがない。
【０１７２】
上記ホルダ１１３は、そのコーナー部側面に下方に向かって、かつ再生ユニット４３側にくの字状に屈曲された案内片１２１が一体に形成されている。また、上記スライダ９９の一対の突片９９ａ及び９９ｂ中、チャッキング機構１１１側の突片９９ｂに、そのチャッキング機構１１１側に突出するピン１２２が一体に形成されている。そして、ホルダ１１３は、図示しない既知の弾性手段（ばね等）によって、その下端部が、常時、再生ユニット４３側に回転移動されるように付勢されており、これによって、ホルダ１１３の上記案内片１２１がスライダ９９のピン１２２に常時当接するようになっている。
【０１７３】
従って、スライダ９９が下死点に位置しているとき、ピン１２２がホルダ１１３の案内片１２１を図示しない弾性手段の付勢に抗して再生ユニット４３から離間する方向に押圧するため、ホルダ１１３は、鉛直線に対して傾いた状態（再生ユニット４３から離間した状態）となる。そして、スライダ９９が、上下移動機構１０２によって例えば上方に移動すると、上記ピン１２２による押圧が上方への移動に伴って徐々に解除されるため、このホルダ１１３は、図示しない弾性手段によって、再生ユニット４３に対して徐々に近接する方向に回転移動する。このとき、ピン１２２は、案内片１２１に接触しながら上方に移動することとなる。
【０１７４】
また、上記ホルダ１１３は、その下部に、下方に延びる舌片１２３が一体に形成されており、また、固定板５１には、この舌片１２３に対向する位置に図示しないストッパ片が例えば切り起こし加工によって設けられている。従って、スライダ９９が上方に移動するにつれて、ピン１２２による案内片１２１への押圧が徐々に解除されて、ホルダ１１３は、図示しない弾性手段によって再生ユニット４３側に押圧されることになるが、このとき、ホルダ１１３の上記舌片１２３が固定板５１の図示しないストッパ片に当接することから、結果的にホルダ１１３は、鉛直線に沿った状態に保持される。
【０１７５】
この状態のとき、既に上述したように、装着位置Ｂにある光ディスクＤのセンター孔内に再生ユニット４３のスピンドルモータにおけるターンテーブル８１が挿入された状態となっていることから、このターンテーブル８１の先端部分（金属製）がチャッキング部材１１５のマグネットに吸着され、光ディスクＤは、鉛直方向に沿った状態でターンテーブル８１とチャッキング部材１１５にて挟持されたかたちとなる。即ち、光ディスクＤを垂直にクランプした状態となる。
【０１７６】
その後、ロックレバー９４は、スライダ９９の上方への移動によって、更に回転し続けるが、支持板８４のコーナー部側端面が固定板５１に設けられたピン１２４に当接するため、支持板８４は、その板面方向が水平に保たれたままとなる。このとき、揺動板８７は、フローティング手段８６のスプリング８９の弾性力によって上昇する。即ち、再生ユニット４３は、光ディスクＤを垂直にクランプした姿勢を保ちながらスプリング８９の作用で上昇することになる。
【０１７７】
なお、ホルダ１１３の上部には、ロータリーテーブル１の中心に向かって水平に延び、かつその先端部分が固定板５１に対して支軸２０４を中心に回転自在に支持されたレバー１１３ｂが一体に設けられており、このレバー１１３ｂには、その中央部分において水平方向を長軸とする長孔１２５が設けられている。そして、この長孔１２５には、ガイドレール４９の上部においてホルダ１１３側に突出するように設けられたピン１２６が挿通するようになっている。従って、ホルダ１１３がスライダ９９の上方へ移動によって鉛直方向に垂下した状態になる過程において、ガイドレール４９は、支軸５２を中心に回転して、その上部が光ディスクＤから離間する方向に回転移動することになる。
【０１７８】
即ち、上記スライド９９の上方への移動によって、再生ユニット４３、チャッキング部材１１５及び光ディスクＤが上方に移動することになるが、この過程において、ガイドレール４９は、上昇中の光ディスクＤに対して一定の距離を保ちながら上方に逃げることになり、光ディスクＤのガイドレール４９への衝突を事前に防止することができる。
【０１７９】
そして、スライダ９９が更に上方に移動することによって、ロックレバー９４が揺動板８７から離間し、これによって、ロックレバー９４によるフローティング手段８６に対する弾性力の規制が完全に解除され、光ディスクＤの再生ユニット４３へのチャッキングが完了する。
【０１８０】
そして、再生ユニット４３のスピンドルモータに駆動電流を供給して、光ディスクＤを一方向に回転駆動し、この状態で、光学ピックアップ８２を光ディスクＤの径方向に移動させることにより、光ディスクＤに記録されているピット情報を再生することができる。
【０１８１】
このように、本実施例においては、フローティング手段８６の弾性力を選択的に規制するロック手段９３を有するため、以下のような利点を得ることができる。即ち、通常、フローティング手段８６は、光ディスクＤのピット情報を電気信号として読み取る光学ピックアップ８２に不要な振動が伝播されないように、その振動経路を主にゴムやスプリングなどで遮断した構造のことで、現在では、一般的な機構である。
【０１８２】
しかし、精度的な面からみれば、揺動板８７が、フローティング手段８６によって揺動するため、装着位置Ｂにある光ディスクＤのセンター孔が再生ユニット４３におけるスピンドルモータのターンテーブル８１に対して位置決めが困難となり、非常に不安定であるという欠点を持っている。ところが、本実施例においては、上述した動作からもわかるように、光ディスクＤを再生ユニット４３にチャッキングするまでの過程において、ロック手段９３でフローティング手段８６の弾性力を規制することにより、揺動板８７と支持板８４とを固定化させるようにしているため、チャッキング時における匣体８３の回転移動軌跡Ｔを高精度なものにすることが可能となり、信頼性の高い光ディスクＤのチャッキングを実現させることができる。
【０１８３】
なお、光ディスクＤに対するピット情報の再生が終了して、その光ディスクＤを元の位置（スリット４）に戻す場合は、まず、スライダ９９を上下移動機構１０２にて下方に移動させ、下死点に位置させる。これによって、光ディスクＤへのチャッキングが解除され、光ディスクＤは、装着位置Ｂにおいて、ローディング機構４２における第１及び第２のアーム５４及び５５の先端部分（ローラ６５及び６８）にて２点支持されたのみの状態となる。そして、ローディング機構４２におけるカム６０をモータ６１にて逆回転（図面上、反時計方向）させることにより、光ディスクＤは、上記第１及び第２のアーム５４及び５５の各先端部分６５及び６８にて２点支持されながら、元の位置（ローディング位置Ａにあるスリット４内）に戻されることになる。
【０１８４】
次に、回転位置検出機構４４は、ロータリーテーブル１の下部に設けられた筒状の支持部材５の下面に固着された回転検出体１３１と、ローディング位置Ａに対応して設置された光検出部１３２とから構成されている。
【０１８５】
回転検出体１３１は、支持部材５のそれぞれ径の異なる同心円上の位置に設けられた第１及び第２のリング状の検出板１３３ａ及び１３３ｂで構成されている。第１の検出板１３３ａは、第２の検出板１３３ｂよりも径が大きく、その下端面において円周方向に一定ピッチで配された凹凸が形成されている。即ち、本実施例においては、ロータリーテーブル１に形成された１００個のスリットに対応したピッチにて凹凸が形成されている。従って、本例では、凹凸のうち、例えば凸１３４の部分が１００個形成されていることになる。
【０１８６】
一方、第２の検出板１３３ｂは、上記第１の検出板１３３ａに対してその内方に位置し、その下端面において円周方向に異なるピッチで配された凹凸が形成されている。即ち、本実施例においては、まず、図４において、例えば矢印Ａで示すポイント（ホームポジション）に対応したスリット４を１番目のスリットと定義し、このスリット４に差し込まれる光ディスクＤのディスク番号を「１」として定義する。そして、矢印Ｂで示す方向に沿って順次ディスク番号が＋更新し、ディスク番号「１」の１つ手前のディスク番号が「１００」となる。
【０１８７】
このような設定関係において、第２の検出板１３３ｂは、まず、ディスク番号「１」に対応した位置に凸はなく、ディスク番号「１１」に対応した位置を一方の端面とし、ディスク番号「１２」に対応した位置を他方の端面とする凸（スリット４の配列ピッチにおける１つ分のピッチの長さを有する凸）が形成され、ディスク番号「２１」に対応した位置を一方の端面とし、ディスク番号「２３」に対応した位置を他方の端面とする凸（上記配列ピッチの２つ分のピッチの長さを有する凸）が形成され、ディスク番号「３１」に対応した位置を一方の端面とし、ディスク番号「３４」に対応した位置を他方の端面とする凸（上記配列ピッチの３つ分のピッチの長さを有する凸）が形成され、以下同様に、長さがディスク番号で１０毎にそれぞれ１つの配列ピッチ分だけ長く設定された凸が形成され、一般的に説明すると、ディスク番号「１０ｎ＋１（ｎ＝１，２，３・・・９）」に対応した位置を一方の端面とし、ディスク番号「１１ｎ＋１」に対応した位置を他方の端面とする凸（スリットの配列ピッチにおけるｎ個分のピッチの長さを有する凸）が形成されている。
【０１８８】
また、光検出部１３２は、３つの光センサ（第１、第２及び第３の光センサ）を有する。各光センサは、発光素子と受光素子の組にて構成されており、上記第１の検出板１３３ａに対しては、第１及び第２の光センサが所定の間隔を置いて設置され、第２の検出板１３３ｂに対しては、第３の光センサが設置されている。これら光センサは、対応する検出板１３３ａ及び１３３ｂの凸の部分を検出したとき、例えば高レベルの検出信号を出力するように設定されている。
【０１８９】
即ち、これら光センサは、図１９に示すように、各種信号に基づいて各種演算及び制御を行うコントローラ１４１と接地ＧＮＤ間に挿入された第１、第２及び第３の検出スイッチＳＷ１、ＳＷ２及びＳＷ３を構成する。そして、これら検出スイッチＳＷ１、ＳＷ２及びＳＷ３は、例えば凸部分の検出毎にオンとされ、コントローラ１４１には、各スイッチＳＷ１、ＳＷ２及びＳＷ３のオンに基づく電流変化が検出信号として供給されるようになっている。
【０１９０】
上記コントローラ１４１は、ロータリーテーブル１に対する回転要求（光ディスクＤの選択等）に基づいて駆動制御回路１４２に駆動信号と減速要求信号を供給する。この駆動信号は、タイミング的には、ロータリーテーブル１をある回転角、例えばスリット４の配列ピッチで換算したときに例えば４０ピッチ分回転させる場合、上記回転要求に基づいて立ち上がり、かつ各光センサからの検出信号に基づいて４０ピッチが計数された際に立ち下がるパルス信号であり、上記減速要求信号は、残り１０ピッチの時点から立ち上がり、かつ上記駆動信号と同様に、４０ピッチが計数された際に立ち下がるパルス信号である。
【０１９１】
そして、上記駆動制御回路１４２は、駆動信号のみが駆動制御回路に供給されている期間においては、この駆動制御回路１４２からモータ４５に対して一定レベルの駆動電流が供給され、上記減速要求信号が供給された段階で、モータ４５に供給される駆動電流のレベルが連続的に低下され、上記の例で、４０ピッチが計数された段階において、駆動電流のレベルが零となるように回路が構成されている。なお、回転角が１０ピッチ分に満たない場合は、駆動信号と減速要求信号が同時に立ち上がることになる。
【０１９２】
次に、第１〜第３の光センサからの検出信号に基づいてロータリーテーブル１の停止制御を行う例を図２０〜図２２の信号波形図に基づいて説明する。
【０１９３】
まず、ロータリーテーブル１が、モータ４５による駆動ギヤ４７の回転駆動によって、例えば図４の矢印Ｃ方向に回転すると、各光センサからは、図２０〜図２２で示す検出信号波形が出力される。ここで、第１の光センサからの検出信号Ｓ１の波形と第２の光センサからの検出信号Ｓ２の波形とは、各光センサの離間幅に応じた位相差を有する。
【０１９４】
また、本実施例においては、第１及び第２の光センサからの検出信号Ｓ１及びＳ２中、共に高レベルになっている期間が光ディスクＤの停止位置を示すものであり、例えば、ディスク番号「７」の光ディスクＤをローディング位置Ａにて停止させたい場合においては、第１及び第２の光センサにて７つ目の凸を共に検出したときにロータリーテーブル１を停止させるようになっている。従って、この例においては、第１及び第２の光センサからの検出信号Ｓ１及びＳ２（例えば高レベルの期間）が、一部において重なるように、その各センサの設置に関する離間幅が設定されている。
【０１９５】
そして、第３の光センサからの検出信号Ｓ３が高レベルの期間において、第１及び第２の光センサからの各検出信号Ｓ１及びＳ２の論理積によって形成されるパルス信号の個数が１つの場合、検出信号Ｓ３の立ち下がりを検出した時点で、ローディング位置Ａにディスク番号「１２」に対応する光ディスクＤが位置していることになり、また、上記検出信号Ｓ３が高レベルの期間において、第１及び第２の光センサからの各検出信号Ｓ１及びＳ２の論理積によって形成されるパルス信号の個数が２つの場合、検出信号Ｓ３の立ち下がりを検出した時点で、ローディング位置Ａにディスク番号「２３」に対応する光ディスクＤが位置していることになる。
【０１９６】
このように、ロータリーテーブル１が図４における矢印Ｃ方向に回転している場合に、上記検出信号Ｓ３が高レベルの期間において、第１及び第２の光センサからの各検出信号Ｓ１及びＳ２の論理積によって形成されるパルス信号の個数がｍ個（ｍ＝１，２，３・・・９）の場合、検出信号Ｓ３の立ち下がりを検出した時点で、ローディング位置Ａにディスク番号「１１ｍ＋１」に対応する光ディスクＤが位置していることになる。
【０１９７】
また、ロータリーテーブル１が図４における矢印Ｃ方向に回転している場合に、上記検出信号Ｓ３が、今度は、低レベルの期間において、第１及び第２の光センサからの各検出信号Ｓ１及びＳ２の論理積によって形成されるパルス信号の個数が９つの場合、検出信号Ｓ３の立ち上がりを検出した時点で、ローディング位置Ａにディスク番号「２１」に対応する光ディスクが位置していることになり、また、上記検出信号Ｓ３が低レベルの期間において、第１及び第２の光センサからの各検出信号Ｓ１及びＳ２の論理積によって形成されるパルス信号の個数が８つの場合、検出信号Ｓ３の立ち下がりを検出した時点で、ローディング位置Ａにディスク番号「３１」に対応する光ディスクＤが位置していることになる。
【０１９８】
このように、ロータリーテーブル１が図４における矢印Ｃ方向に回転している場合に、上記検出信号Ｓ３が低レベルの期間において、第１及び第２の光センサからの各検出信号Ｓ１及びＳ２の論理積によって形成されるパルス信号の個数がｍ個（ｍ＝９，８，，７・・・２）の場合、検出信号Ｓ３の立ち上がりを検出した時点で、ローディング位置Ａにディスク番号「１０（１１−ｍ）＋１」に対応する光ディスクＤが位置していることになる。
【０１９９】
この場合、例外的に検出信号Ｓ３が低レベルの期間において、第１及び第２の光センサからの各検出信号Ｓ１及びＳ２の論理積によって形成されるパルス信号の個数が１０の場合はなく、実際には、１１の場合があり、この場合においては、検出信号Ｓ３の立ち上がりを検出した時点で、ローディング位置Ａにディスク番号「１１」に対応する光ディスクＤが位置していることになる。
【０２００】
反対に、ロータリーテーブル１が図４における矢印Ｂ方向に回転している場合においては、上記検出信号Ｓ３が高レベルの期間において、第１及び第２の光センサからの各検出信号Ｓ１及びＳ２の論理積によって形成されるパルス信号の個数が９つの場合、検出信号Ｓ３の立ち下がりを検出した時点で、ローディング位置Ａにディスク番号「９１」に対応する光ディスクＤが位置していることになり、また、上記検出信号Ｓ３が高レベルの期間において、第１及び第２の光センサからの各検出信号Ｓ１及びＳ２の論理積によって形成されるパルス信号の個数が８つの場合、検出信号Ｓ３の立ち下がりを検出した時点で、ローディング位置Ａにディスク番号「８１」に対応する光ディスクＤが位置していることになる。
【０２０１】
このように、ロータリーテーブル１が図４における矢印Ｂ方向に回転している場合に、上記検出信号Ｓ３が高レベルの期間において、第１及び第２の光センサからの各検出信号Ｓ１及びＳ２の論理積によって形成されるパルス信号の個数がｍ個（ｍ＝９，８，，７・・・１）の場合、検出信号Ｓ３の立ち上がりを検出した時点で、ローディング位置Ａにディスク番号「１０ｍ＋１」に対応する光ディスクＤが位置していることになる。
【０２０２】
また、ロータリーテーブル１が図４における矢印Ｂ方向に回転している場合に、上記検出信号Ｓ３が、今度は、低レベルの期間において、第１及び第２の光センサからの各検出信号Ｓ１及びＳ２の論理積によって形成されるパルス信号の個数が２つの場合、検出信号Ｓ３の立ち上がりを検出した時点で、ローディング位置Ａにディスク番号「８９」に対応する光ディスクＤが位置していることになり、また、上記検出信号Ｓ３が低レベルの期間において、第１及び第２の光センサからの各検出信号Ｓ１及びＳ２の論理積によって形成されるパルス信号の個数が３つの場合、検出信号Ｓ３の立ち下がりを検出した時点で、ローディング位置Ａにディスク番号「７８」に対応する光ディスクＤが位置していることになる。
【０２０３】
このように、ロータリーテーブル１が図４における矢印Ｂ方向に回転している場合に、上記検出信号Ｓ３が低レベルの期間において、第１及び第２の光センサからの各検出信号Ｓ１及びＳ２の論理積によって形成されるパルス信号の個数がｍ個（ｍ＝２，３，，４・・・９）の場合、検出信号Ｓ３の立ち上がりを検出した時点で、ローディング位置Ａにディスク番号「｛１０（１１−ｍ）＋１｝−ｍ」に対応する光ディスクＤが位置していることになる。
【０２０４】
この場合、例外的に検出信号Ｓ３が低レベルの期間において、第１及び第２の光センサからの各検出信号Ｓ１及びＳ２の論理積によって形成されるパルス信号の個数が１０の場合はなく、実際には、１１の場合があり、この場合においては、検出信号Ｓ３の立ち上がりを検出した時点で、ローディング位置Ａにディスク番号「１００」に対応する光ディスクが位置していることになる。
【０２０５】
上記のことから、第３の光センサからの検出信号Ｓ３は、第２の検出板１３３ｂに形成されているそれぞれ異なるピッチに応じた凹凸に対応した範囲を示す信号（以下、範囲信号と記す）であり、この範囲信号の立ち上がり及び立ち下がりを検出した時点において、それぞれ特定のディスク番号における光ディスクＤがローディング位置Ａに回転搬送されることになる。
【０２０６】
この特定のディスク番号における光ディスクＤがローディング位置Ａに来たときに、ロータリーテーブル１を停止させる場合を考え、その停止位置をメモリ等に用いられている番地としての概念で示した場合、上記範囲信号（検出信号）の立ち上がり及び立ち下がりを検出した時点における停止位置は、その特定のディスク番号における光ディスクＤの絶対番地として認識することができる。
【０２０７】
また、第１及び第２の光センサからの検出信号Ｓ１及びＳ２の論理積によって形成されるパルス信号は、上記範囲信号で示す絶対番地に対し、その相対番地を示すことになる。
【０２０８】
具体的に説明すると、ロータリーテーブル１がディスク番号「７」の光ディスクＤがローディング位置Ａにある状態にて停止している状態から、このローディング位置Ａにディスク番号「１３」の光ディスクＤを位置させてロータリーテーブル１を停止させる場合、即ち、絶対番地「７」から絶対番地「１３」に移動させる場合、例えば図４における矢印Ｃ方向に回転する場合においては、図２０において、絶対番地「７」から図面上、右に変化することになる。このとき、第３の光センサからの検出信号Ｓ３の波形に注目すると、高レベルは絶対番地「１１」のところだけであり、上記検出信号Ｓ３が高レベルである期間の相対番地を計数することにより、第３の光センサからの検出信号Ｓ３が高レベルから低レベルになった時点での絶対番地が「１２」であることが解る。従って、相対番地を更に「１」だけ増した停止位置が絶対番地「１３」であることが判明する。
【０２０９】
次に、絶対番地「１３」から絶対番地「２２」に移動する場合は、移動を開始するまでに、第３の光センサからの検出信号Ｓ３が低レベルである相対番地の数が「２」であることは解っている。移動が開始されると、相対番地は１つずつ増加することになる。そして、順次更新される相対番地を計数していくと、第３の光センサからの検出信号Ｓ３が低レベルから高レベルに変化した時点では、相対番地数は「９」となっているため、この変化した時点での絶対番地は、「２１」であることが解る。従って、相対番地を１つ増加させた停止位置が絶対番地「２２」となる。なお、相対番地を減少させる方向（図４において矢印Ｂで示す方向）への回転移動についても、同様のことが言える。
【０２１０】
また、電源投入時には、絶対番地が判明していないが、第３の光センサからの検出信号Ｓ３が高レベル又は低レベルである区間の相対番地数を計数することにより、ロータリーテーブル１を１回転させることなく、早い時点にて絶対番地を知ることができる。
【０２１１】
このように、本実施例に係る回転位置検出機構４４によれば、所望のディスク番号における光ディスクＤを所定のローディング位置Ａに位置させてロータリーテーブル１を停止させる場合において、簡単に、かつ正確に所望のディスク番号における光ディスクＤを所定のローディング位置Ａに搬送させて、停止させることができる。しかも、電源投入時において、ロータリーテーブル１を１回転させることなく、ローディング位置Ａにどのディスク番号の光ディスクＤが位置しているのかを迅速に知ることができる。なお、上記例においては、１００個の光ディスクのうち、特定の光ディスクＤをローディング位置Ａに搬送させる場合を示したが、もちろん１００個以上の光ディスクＤが収納されたロータリーテーブルに対しても適用させることができる。
【０２１２】
次に、この実施例に係る再生装置の回路系を図２３に基づいて説明する。この再生装置における回路系は、各種センサ及びスイッチから構成される検知回路系１５１と、再生装置に装備されている各種機構の駆動源（モータ等）に駆動電流を供給する駆動制御回路系１５２と、上記検知回路系１５１からの各種検知信号及び後述するシステムコントローラ１５４からの制御信号に基づいて、駆動制御回路系１５２に駆動信号及び制御信号を出力する上述したコントローラ１４１と、操作パネル１１に配置された各種操作キーからの入力信号が供給され、この入力された信号をデータとしてメモリ１５３に登録するシステムコントローラ１５４と、再生ユニット４３の光学ピックアップ８２にて再生された情報信号を例えば音声信号に変換して出力し、また、上記情報信号からトラッキングエラー信号及びフォカシングエラー信号を取り出して図示しないサーボ回路系に供給する再生回路系１５５とを有する。
【０２１３】
また、システムコントローラ１５４には、グループに応じた数のＬＥＤが接続され、更に図示しないキャラクタ表示回路を介して表示部２８（図２参照）が接続されている。メモリ１５３は、例えばＳＲＡＭにて構成され、その配列変数領域には、ディスク番号に対応したファイルが論理的に割り付けられている。なお、このメモリ１５３には、バックアップ回路１５６が接続されており、操作パネル１１にある電源スイッチ２１をオフにした状態においてもメモリ１５３内のデータが消去されないようになっている。ここで、ディスク番号は、既に上述したように、ロータリーテーブル１において予め決められているスリット４に対応した番号「１」〜「１００」である。
【０２１４】
各ファイルは、図２４に示すように、グループ番号に対応してビット割り付けされたフラグ領域ａと、対応するディスク番号に関するメモが英数字、カタカナ文字等のコードデータとして格納されるメモ格納領域ｂと、ファイル順に応じたディスク番号が登録されたディスク番号登録領域ｃと、ディスク有（１）／無（０）ビットｄとから構成されている。フラグ領域ａの各ビットは、対応するグループが登録されたか未登録かを示すものであり、例えば１ビット目、３ビット目及び５ビット目に「１」が立っている場合、グループ１、グループ３及びグループ５にそのディスク番号が登録されていることを示す。
【０２１５】
一方、上記システムコントローラ１５４に接続される各種操作キーは、図２で示す操作パネルに配置されたキーや操作ボタン等であるが、図２３においては、説明の簡略化のため、１０個のグループキー２３（２３ａ，２３ｂ・・・２３ｊ）、回転式操作キー２６及び押しボタンスイッチ２７のみを示す。
【０２１６】
次に、この実施例に係る再生装置の処理動作、特に、ロータリーテーブル１にセットされた例えば１００枚の光ディスクＤをグループ単位、例えば演奏者、ジャンル、利用者毎にグループ化して管理するためのグループ登録動作と、ディスク番号毎にメモ（タイトル等）を登録するメモ入力処理、及び上記１００枚の光ディスクＤから１枚の光ディスクＤを選択して再生させる動作について図２５〜図２８のフローチャートも参照しながら説明する。
【０２１７】
まず、グループ登録処理は、図２５に示すように、グループエントリーキー２４が操作されることによって処理が開始され（ステップＳ１）、システムコントローラ１５４のＲＡＭ領域にグループ登録用のプログラムを転送し、再生装置をグループ登録モードに設定する（ステップＳ２）。
【０２１８】
そして、次のステップＳ３において、１０個のグループキー２３のうち、いずれかのグループキーが操作されたかどうかが判別される。１つのグループキー２３が押されたとき、ステップＳ４に進んで、操作したグループキー２３の上部に配置されているＬＥＤを緑点滅させ、同時に表示部２８のグループ番号表示領域２９に、上記操作したグループキーに対応するグループ番号を表示する。その後、ディスク番号設定処理ルーチンに入る（ステップＳ５）。
【０２１９】
このディスク番号設定処理は、図２６に示すように、ステップＳ１０１にて回転式操作キー２６が右方向（時計方向）に回転操作されたかどうかが判別される。回転式操作キー２６が右方向に回転操作された場合、ステップＳ１０２に進んで、現在、第１のディスク番号表示領域３１ａに表示されているディスク番号を＋１して表示する。この場合、表示されていたディスク番号が「１００」であった場合は、「１」として表示される。
【０２２０】
一方、回転式操作キー２６が左方向に回転操作された場合は、ステップＳ１０３に進んで、現在、第１のディスク番号表示領域３１ａに表示されているディスク番号に−１した番号が表示される。この場合、表示されていたディスク番号が「０」又は「１」であった場合は、「１００」として表示される。
【０２２１】
そして、上記ディスク番号の表示毎に、次のステップＳ１０４にて押しボタンスイッチ２７が操作されたかどうかが判別される。押しボタンスイッチ２７が操作されない場合は、再びステップＳ１０１に戻って、回転式操作キー２６が右回転されたかどうかが判別され、押しボタンスイッチ２７が操作されるまでステップＳ１０１〜Ｓ１０４のルーチンが繰り返され、押しボタンスイッチ２７が操作された段階で、例えばディスク番号用ワーキングエリアに現在表示中のディスク番号を格納して終了する。
【０２２２】
再び図２５の処理ルーチンに戻って、次のステップＳ６において、メモリに登録されている多数のファイル中、ディスク番号用ワーキングエリアに格納されているディスク番号に対応するファイルをＲＡＭ領域に読み出し、この読み出したファイルのフラグ領域ａにおける上記操作されたグループキーのグループ番号に対応するビットを立てる。
【０２２３】
次のステップＳ７において、ファイルキー３２が操作されたかどうかを判別する。ファイルキー３２が操作された場合、ステップＳ８に進んで、ＲＡＭ領域上のファイルを、ディスク番号用ワーキングエリアに格納されているディスク番号に基づいて、メモリ上の元のファイルに登録する。即ち、上書きする。
【０２２４】
そして、次のステップＳ９において、操作したグループキー２３の上部に配置されているＬＥＤを緑点灯させて、このグループ登録処理が終了する。
【０２２５】
一方、ステップＳ３にてグループキー２３が操作されていないと判別された場合は、ステップＳ１０に進む。このステップＳ１０は、グループキー２３による入力操作をある期間（本例では１６秒間）だけ待つステップであり、１６秒経過してもグループキー２３による入力がない場合は、ステップＳ１以前の状態、即ち通常のキー入力待ち状態（以下、単に通常状態と記す）に戻して終了する（ステップＳ１１）。
【０２２６】
また、ステップＳ７にてファイルキー３２が操作されていないと判別された場合は、ステップＳ１２に進む。このステップＳ１２は、ファイルキー３２による入力操作をある期間（本例では１６秒間）だけ待つステップであり、１６秒経過してもファイルキー３２による入力がない場合は、通常状態に戻して終了する（ステップＳ１３）。
【０２２７】
次に、メモ入力処理は、図２７に示すように、メモ入力キー２５が操作されることによって処理が開始され（ステップＳ２０１）、システムコントローラ１５４のＲＡＭ領域にメモ入力用のプログラムを転送し、再生装置をメモ入力モードに設定する（ステップＳ２０２）。このとき、表示部２８のメモ表示領域３０におけるメモ表示の先頭桁に入力のためのカーソルが表示される。
【０２２８】
その後、ディスク番号設定処理ルーチンに入る（ステップＳ２０３）。このディスク番号設定処理ルーチンについては、詳述したので、ここではその説明を省略する。
【０２２９】
そして、次のステップＳ２０４において、回転式操作キー２６が操作されたかどうかが判別される。回転式操作キー２６が操作された場合、次のステップＳ２０５に進んで、カーソルの位置に表示されている文字や数字が、回転式操作キー２６のクリック数に応じた分だけ更新される。例えば、カーソルの位置に表示されている文字や数字が例えばアルファベットの「Ｍ」である場合に、回転式操作キーを時計方向にクリック＋１ほど回転操作した場合、その表示がアルファベットの正方向に更新され、アルファベットの「Ｎ］に変化する。反対に、回転式操作キーを反時計方向にクリック＋１ほど回転操作した場合は、アルファベットの「Ｌ］に変化する。
【０２３０】
この処理は、カーソルが位置している桁に、登録するうえで満足する文字や数字が表示されるまで行われる（ステップＳ２０６）。そして、カーソルを次の桁に移したい場合、押しボタンスイッチ２７を操作する（ステップＳ２０７及びＳ２０８）。カーソルが次の桁に移動した後、その桁に、満足する文字や数字が表示されるまで、回転式操作キー２６にて更新させる。これらの処理を繰り返して、そのディスク番号に関するメモを作成していく。この作成されたメモデータは、ＲＡＭ領域上のメモ用ワーキングエリアに一時格納される。
【０２３１】
上記ステップＳ２０４において、回転式操作キー２６が操作されていないと判別された場合は、ステップＳ２０９に進む。このステップＳ２０９は、回転式操作キー２６による入力をある期間（本例では１６秒間）だけ待つステップであり、１６秒経過しても回転式操作キー２６による入力がない場合は、通常状態に戻して終了する（ステップＳ２１０）。
【０２３２】
一方、ステップＳ２０７において、次の桁に移る必要がない場合は、ステップＳ２１１に進んで、ファイルキー３２が操作されたかどうかが判別される。このファイルキー３２は、このメモ入力処理が終了したかどうかを判別するものとして用いられ、ファイルキー３２が操作された場合、次のステップＳ２１２に進んで、メモ用ワーキングエリアに格納されているメモデータを、メモリ１５３に登録されている多数のファイル中、ディスク番号用ワーキングエリアに格納されているディスク番号に対応するファイルのメモ格納領域ｂに登録する。その後、通常状態に戻って終了する（ステップＳ２１３）。
【０２３３】
次に、再生処理は、図２８に示すように、グループキー２３が操作されることによって処理が開始され（ステップＳ３０１）、システムコントローラ１５３のＲＡＭ領域に再生処理用のプログラムを転送し、再生装置を再生モードに設定する（ステップＳ３０２）。このとき、表示部２８のグループ番号表示領域２９に、上記操作したグループキー２３に対応するグループ番号を表示する。
【０２３４】
そして、次のステップＳ３０３にて、メモリ１５３に登録されている多数のファイル中、フラグ領域ａの上記グループ番号に対応するビットが「１」となっているファイルを検索し、該当するファイルを全てＲＡＭ領域のファイル用ワーキングエリアにディスク番号順に読み出す。この検索処理において、上記グループ番号が登録されているファイルがある場合、次のステップＳ３０４に進み、上記操作したグループキー２３の上部に配置されているＬＥＤを赤点滅させる。この状態から回転式操作キー２６の入力待ちとなる。即ち、回転式操作キー２６が操作されたかどうかが判別される（ステップＳ３０５）。
【０２３５】
回転式操作キー２６が操作された場合、次のステップＳ３０６に進んで、ＲＡＭ領域に読み出したファイル群に対し、回転式操作キー２６の回転に応じて順次ファイルを更新しながら、その更新したファイルのディスク番号登録領域ｃに登録されているディスク番号とメモ格納領域ｂに格納されているメモを、それぞれ表示部２８の第１のディスク番号表示領域３１ａ及びメモ表示領域３０に表示する。また、本例では、次に更新されるファイルのディスク番号登録領域ｃに登録されているディスク番号を、表示部２８の第２のディスク番号表示領域３１ｂに表示する。また、本例では、その更新したファイルのディスク有（１）／無（０）ビットが「０」となっている場合、表示部２８のメモ格納領域３０に、光ディスクＤがセットされていないことを示すメッセージ、例えば「Ｎｏ  Ｄｉｓｃ」を表示する。
【０２３６】
そして、上記ディスク番号及びメモの表示毎に、次のステップＳ３０７にて押しボタンスイッチ２７が操作されたかどうかが判別される。押しボタンスイッチ２７が操作されない場合は、再びステップＳ３０５に戻って、回転式操作キー２６が操作されたかどうかが判別され、押しボタンスイッチ２７が操作されるまでステップＳ３０５〜Ｓ３０７のルーチンが繰り返される。
【０２３７】
押しボタンスイッチ２７が操作されると、ステップＳ２０８に進んで、表示されているディスク番号の光ディスクＤに対して情報信号の再生を行う。即ち、押しボタンスイッチ２７が操作された時点で、システムコントローラ１５４は、コントローラ１４１に駆動対象のデバイス番号（この場合、図３における回転駆動機構４１のモータ４５のデバイス番号）を示すデータと回転要求を示す信号を送出する。
【０２３８】
コントローラ１４１は、システムコントローラ１５４から供給されたデータを解析して、駆動制御回路系１５２中、駆動対象のデバイス（モータ４５）に対応する駆動制御回路に駆動信号と減速要求信号を供給する。その結果、対象の駆動制御回路から図３における回転駆動機構４１のモータ４５に駆動電流が供給され、これによりロータリーテーブル１が回転駆動することになる。
【０２３９】
ロータリーテーブル１の回転と同時に、図３で示す回転位置検出機構４４にて、ロータリーテーブル１の回転位置を検出し、対象のディスク番号における光ディスクＤがローディング位置Ａにきた段階で、コントローラ１４１に対して停止信号を出力する。コントローラ１４１は、回転位置検出機構４４からの停止信号の供給に基づいて、回転駆動機構４１におけるモータ４５の駆動制御回路に停止信号を出力する。これにより、駆動制御回路からのモータ４５に対する駆動電流の供給が断ち切られ、ロータリーテーブル１は停止することになる。即ち、対象のディスク番号における光ディスクＤがローディング位置Ａにきた段階で、ロータリーテーブル１が停止することになる。
【０２４０】
その後、システムコントローラ１５４は、制御をローディング機構４２に移すことを指示する信号をコントローラ１４１に与える。コントローラ１４１は、その指示信号の供給に基づいてローディング機構４２のモータ（カム６０を駆動するモータ５１）に対応する駆動制御回路に駆動信号を出力する。この駆動制御回路は、コントローラ１４１からの駆動信号の供給に基づいてモータ６１に駆動電流を流し、カム６０を図３上、時計方向に回転させる。カム６０の時計方向への回転に伴って、ローディング機構４２における第１及び第２のアーム５４及び５５がローディング位置Ａにある光ディスクＤを装着位置Ｂまで回転搬送させる。
【０２４１】
対象の光ディスクＤが装着位置Ｂにきた段階で、２ポジションスイッチ７２の他方の接触子にカム６０のリブ７１が接触し、この接触によって、２ポジジョンスイッチ７２から検出信号がコントローラ１４１に出力される。コントローラ１４１は、上記検出信号の供給に基づいて、モータ６１の駆動制御回路に停止信号を出力する。これにより、駆動制御回路からのモータ６１に対する駆動電流の供給が断ち切られ、カム６０の回転が停止することになる。
【０２４２】
その後、システムコントローラ１５４は、制御を図１７で示すチャッキング機構１１１に移すことを指示する信号をコントローラ１４１に与える。コントローラ１４１は、その指示信号の供給に基づいてチャッキング機構１１１のモータ１０３に対応する駆動制御回路に駆動信号を出力する。この駆動制御回路は、コントローラ１４１からの駆動信号の供給に基づいてモータ１０３に駆動電流を流し、主ギヤ１０６を回転させる。主ギヤ１０６の回転に伴って、スライダ９９が上方に移動し、このスライダ９９の上方への移動によって、装着位置Ｂにある光ディスクＤが再生ユニット４３にクランプされる。このとき、ロック手段９３によるフローティング手段８６の弾性力に対する規制が解除され、再生ユニット４３に対する外部からの振動伝達が遮断される。
【０２４３】
そして、システムコントローラ１５４は、制御を再生ユニット４３に移すことを指示する信号をコントローラ１４１に与える。コントローラ１４１は、その指示信号の供給に基づいて再生ユニット４３のスピンドルモータに通電して光ディスクＤを一方向に回転させると共に、光学ピックアップ８２を光ディスクＤの径方向に移動させて、光ディスクＤのピット情報を再生する。この光学ピックアップ８２からの再生信号は、再生回路系１５５に供給されて、それぞれ音声信号、トラッキングエラー信号及びフォーカシングエラー信号に分離される。音声信号は、この再生回路系１５５の出力端子φｏｕｔから出力され、各エラー信号は、図示しないサーボ回路系に供給される。
【０２４４】
システムコントローラ１５４は、上記光ディスクＤに対する再生処理が始まった時点で、操作したグループキー２３の上部に配置されているＬＥＤを赤点灯させる（ステップＳ３０９）。
【０２４５】
なお、ローディング位置Ａに光ディスクＤが無い場合は、第２のアーム５５のコーナー部側端部５５ａにて検出スイッチ７０をオンにすることから、このオン信号がコントローラ１４１を介してシステムコントローラ１５４に供給される。システムコントローラ１５４は、ＲＡＭ領域に読み出した多数のファイル中、再生の対象となっている光ディスクＤのディスク番号に対応するファイルのディスク有／無ビットを「０」に変更・登録して、そのままステップＳ３０９に進む。
【０２４６】
ステップＳ３０９の処理が終了した段階で、ＲＡＭ領域上の多数のファイルを、メモリ１５３上の１００個のファイル中、それぞれ対応するファイルに上書きして一連の処理が終了する。
【０２４７】
一方、ステップＳ３０３にて、操作したグループキー２３に対応するグループが未登録であると判別された場合は、ステップＳ３１０に進んで、表示部２８の例えばメモ表示領域３０にエラーメッセージ（例えば「ＮＯ  ＥＮＴＲＹ」）を例えば１〜２秒間表示する。このエラーメッセージの表示が終了すると、ステップＳ３１１に進み、通常状態に戻して終了する。
【０２４８】
また、ステップＳ３０５にて回転式操作キー２６が操作されていないと判別された場合は、ステップＳ３１２に進む。このステップＳ３１２は、回転式操作キー２６による入力をある期間（本例では１６秒間）だけ待つステップであり、１６秒経過しても回転式操作キー２６による入力がない場合は、通常状態に戻して終了する（ステップＳ３１３）。
【０２４９】
そして、この再生装置において、通常状態から単に回転式操作キー２６を操作した場合は、現在、システムコントローラ１５４のファイル用ワーキングエリアに読み出されているファイルに基づいて、光ディスクＤの再生が行われる。即ち、回転式操作キー２６の回転操作に応じて順次ファイルを更新させ、その更新されたファイルのディスク番号登録領域ｃに登録されているディスク番号に対応した光ディスクＤに対して再生が行われる。もちろんこの場合においても、再生の対象となっている光ディスクＤのディスク番号が第１のディスク番号表示領域３１ａに表示され、次に更新されるディスク番号が第２のディスク番号表示領域３１ｂに表示される。
【０２５０】
上記再生モードの説明は、主に連続再生モード（一般に、CONTINUEモードと称される）を対象にした場合であり、このCONTINUEモードにしたい場合は、操作パネル１１の中央下部における右上段に配置されている３つのモード設定キー２０１、２０２及び２０３のうち、左側に位置するCONTINUEキー２０１を操作することに設定することができる。このとき、このキー２０１の上部に設置されたＬＥＤが点灯する。
【０２５１】
そして、残りの２つのモード、即ち１枚再生モード（一般に、 SHUFFLEモードと称される）及びプログラムモード（ PROGRAMモード）は、３つのモード設定キー２０１、２０２及び２０３のうち、中央に位置する SHUFFLEキー２０２及び右側に位置する PROGRAMキー２０３をそれぞれ操作することにより設定することができる。この場合、それぞれのキー２０２及び２０３の上部にあるＬＥＤが選択的に点灯することになる。
【０２５２】
上記 SHUFFLEモードは、上記CONTINUEモードと同様に、システムコントローラ１５４のＲＡＭ領域のファイル用ワーキングエリアに読み出されたファイルに基づいて、光ディスクＤの再生を行うのであるが、次に再生する光ディスクＤを、回転式操作キー２６にてランダムに選択できるようになっている。即ち、回転式操作キー２６を回転操作して上記ファイル用ワーキングエリアに読み出されているファイルの各ディスク番号からランダムに１つのディスク番号を選択して、次に再生する光ディスクＤを設定するものである。この場合、第２のディスク番号表示領域３１ｂには、その選択したディスク番号が表示される。
【０２５３】
また、 PROGRAMモードは、システムコントローラ１５４のＲＡＭ領域のファイル用ワーキングエリアに読み出されたファイルの順番を回転式操作キー２６にて変更し、この変更されたファイルに基づいて、光ディスクＤの再生を行うものである。この場合、上記CONTINUEモードと同様に、ファイルの順番に従って再生が行われ、第２のディスク番号表示領域３１ｂには、再生の対象となっているファイルの次のファイルに関するディスク番号が表示される。
【０２５４】
このように、この再生装置においては、各種データの更新を回転式操作キー２６にて行うようにしているため、通常、多数枚の光ディスクＤが再生可能な再生装置において、データの設定を行う場合、多くのキーを用いて入力・更新する必要があったが、これらの多くのキーを１つの回転式操作キー２６にて代用することが可能となり、操作パネル１１におけるキー配列の簡略化を図ることができ、また、データ更新を回転という分かりやすい操作にて行うことができるため、一般に、複雑な操作が必要であるデータ登録操作を、誰でも簡単に行うことができ、再生装置の操作性の向上を図ることができる。しかも、ディスク番号毎にメモを登録するようにしているため、ディスク番号とそのメモを参照しながらグループ登録ができるようになり、登録の際の確認作業が簡単になると共に、誤登録を少なくすることができる。
【０２５５】
また、第１のディスク番号表示領域３１ａに現在再生中のディスク番号を表示し、第２のディスク番号表示領域３１ｂに次回再生されるディスク番号を表示するようにしたので、多数枚の光ディスクＤが再生可能な再生装置において、従来から問題とされてきた不利な点、即ち次に何が再生（演奏）されるのかが解らず、いちいちその順番をキー操作にて確認しなければならないという点を解消することができ、操作性及び利便性を更に向上させることができる。
【０２５６】
ここで、上述のように上記ロータリーテーブル１に複数の光ディスクＤを収納すると、例えば母親所有の複数の光ディスクＤ及び父親所有の複数の光ディスクＤが混在することとなり、該複数の光ディスクＤから所望の光ディスクＤを選択すること自体困難なこととなる。また、１枚の光ディスクＤに記録されている全ての曲を通して聞くことは稀であり、複数の曲の中から所望の曲のみを選択して聞くことが一般的には多く行われる。このようなことから、自分の好みの光ディスクＤ及び曲をストックしておくことができれば大変便利である。
【０２５７】
当該再生装置は、このような機能を図２に示す第１〜第４のミュージッククリップキー２５１〜２５４に持たせることとした。
【０２５８】
この各ミュージッククリップキー２５１〜２５４を用いる場合は、例えば第１のミュージッククリップキー２５１は母親用のキー，第２のミュージッククリップキー２５２は父親用のキー等のようにキー別に所有者の割り付けを予め行うことが好ましい。
【０２５９】
当該再生装置は、図２９のフローチャートに示すように、上記ミュージッククリップキー２５１〜２５４がオン操作されたときの該再生装置の状態によって、その曲をクリップファイル（グループ登録）するか、既にクリップファイルされた曲の再生を行うかが決定される。
【０２６０】
すなわち、上記図２９に示すフローチャートはメイン電源がオン操作されることによりスタートとなりステップＳ５００に進む。
【０２６１】
上記ステップＳ５００では、図２３に示すシステムコントローラ１５４が、現在、指定された曲の再生中（或いは再生一次停止中）であるか否かを判別し、ＹＥＳの場合はステップＳ５０１に進んでクリップファイルの処理ルーチンを実行し、ＮＯの場合はステップＳ５０２に進んで既にクリップファイルされた曲の再生（クリッププレイ）の処理ルーチンを実行する。
【０２６２】
上記クリップファイルの処理ルーチンは、図３０のフローチャートに示すようになっている。
【０２６３】
すなわち、この図３０に示すフローチャートは、上述のように曲の再生中（或いは再生一次停止中）に上記各ミュージッククリップキー２５１〜２５４の何れかがオン操作されることによりスタートとなり、ステップＳ４００に進む。
【０２６４】
上記ステップＳ４００では、上記システムコントローラ１５４がオン操作されたミュージッククリップキーを検出し、例えば“ＣＬＩＰ  ＦＩＬＥ”の文字を表示し、これを点滅させるように上記表示部２８を制御するとともに、このオン操作されたミュージッククリップキーを示すデータを、該システムコントローラ１５４内に設けられているメモリ（図示せず。以下、ＣＬＩＰＴＢＬという。）に一旦記憶してステップＳ４０１に進む。
【０２６５】
上記ステップＳ４０１では、上記システムコントローラ１５４が、例えばＳ−ＲＡＭ等であるメモリ１５３に、過去にクリップファイルされた曲の例えばアドレスや曲番号等を示す複数の登録データ（以下、これをひとまとめにＣＣＡＬという。）が記録されているか否かを判別することより、該オン操作されたミュージッククリップキーに対して、過去にクリップファイルされた曲が有るか否かを判別し、ＹＥＳの場合はステップＳ４０２に進み、ＮＯの場合はステップＳ４０７に進む。
【０２６６】
上記ステップＳ４０２では、上記ＣＣＡＬがメモリ１５３に記憶されていたため、上記システムコントローラ１５４が、該メモリ１５３からそのクリップファイルの全ＣＣＡＬを読み出す。そして、このＣＣＡＬに基づいて、そのクリップファイルのファイル番号、該クリップファイルを構成する全曲の曲番号で形成されるミュージックカレンダー３１ｃ、後に説明するクリップメモモードでそのクリップファイルにタイトル等が付されている場合そのタイトルを表示するように表示部２８を制御してステップＳ４０３に進む。
【０２６７】
一方、上記ステップＳ４０７では、上記メモリ１５３にそのクリップファイルに属するＣＣＡＬが記憶されていないため、上記システムコントローラ１５４が、該ＣＣＡＬをクリアして上記ステップＳ４０３に進む。
【０２６８】
上記ステップＳ４０３では、上記システムコントローラ１５４が、上記表示部に表示したミュージックカレンダー３１ｃに現在再生中（或いは再生一次停止中）の曲の曲番等を表示するように表示部２８を制御してステップＳ４０４に進む。
【０２６９】
上記ステップＳ４０４では、現在再生中（或いは再生一次停止中）の曲のいわゆるＴＯＣ（Table of Contents ）データ他、該現在再生中の光ディスクＤの番号（上記ロータリーテーブル１上の位置を示す番号でもよいし、その光ディスクＤ自体の番号でもよい。）、そのクリップファイル内の該曲の曲順を示す曲番号等を示す登録情報をディスク番号登録領域１５３ａに新たに書き込むように上記メモリ１５３を書き込み制御してステップＳ４０５に進む。
【０２７０】
なお、後に説明するクリップメモモードでそのクリップファイルにタイトル等が付された場合、このタイトルデータはキャラクタデータとしてキャラクタデータ記憶領域１５３ｂに書き込まれるようになっている。
【０２７１】
上記ステップＳ４０５では、上記システムコントローラ１５４が、そのクリップファイルに初めて上記登録情報を登録する場合、そのクリップファイルに登録情報が登録されていることを示すデータ（以下、ファイルタグという。）を形成してステップＳ４０６に進む。
【０２７２】
上記ステップＳ４０６では、上記システムコントローラ１５４が、上記ファイルタグをフラグ領域１５３ｃに書き込むように上記メモリ１５３を書き込み制御する。また、上記オン操作されたミュージッククリップキー上に設けられているＬＥＤを点灯制御し、上記点滅表示している“ＣＬＩＰ  ＦＩＬＥ”の文字を所定時間点灯させるように上記表示部２８を表示制御する。また、そのクリップファイル中の全曲番を示すミュージックカレンダを表示するように上記表示部２８を表示制御するしてこのクリップファイルのルーチンを終了する。これにより、その曲がミュージッククリップされたことをユーザに認識させることができる。
【０２７３】
このようにして、所望の曲を再生中（或いは再生一次停止中）に、所望のミュージッククリップキー２５１〜２５４をオン操作するだけの簡単な操作で該再生中の曲をミュージッククリップすることができる。従って、このような所望の曲の再生（或いは再生一次停止）及びミュージッククリップキーのオン操作を繰り返すことにより、上記メモリ１５３内には複数の所望の曲のデータ（上記ＣＣＡＬ）がグループ化されて記憶されることとなる。
【０２７４】
なお、現在再生中の曲をクリップファイルしようとして上記ミュージッククリップキーをオン操作したが、これは間違いであると気付いた場合、ユーザは、その曲の再生中に再度同じミュージッククリップキーをオン操作する。これにより、上記システムコントローラ１５４が上記“ＣＬＩＰ  ＦＩＬＥ”の文字を点滅させるように上記表示部２８を制御する。ユーザは、この“ＣＬＩＰ  ＦＩＬＥ”の文字の点滅中に、後に説明するイレースキー２５５をオン操作する。これにより、上記システムコントローラ１５４は、クリップファイルした現在再生中の曲の登録情報をそのクリップファイルから削除するように上記メモリ１５３を制御する。
【０２７５】
次に、このようにミュージッククリップされた曲の再生（クリッププレイ）は、図３１のフローチャートに示すルーチンに従って行われる。
【０２７６】
すなわち、この図３１のフローチャートは、上記各ミュージッククリップキー２５１〜２５４のうち何れかのキーが、再生時或いは再生一次停止以外のとき（例えば、停止時や早送り，早戻し時等）にオン操作されることによりスタートとなり、ステップＳ４１０に進む。
【０２７７】
上記ステップＳ４１０では、上記オン操作されたミュージッククリップキーのクリップファイルに１曲もミュージッククリップされていないときに、現在、再生部に装着されている光ディスクＤを再生可能するために、上記システムコントローラ１５４が、上記再生部に装着されている光ディスクＤのディスクナンバーを上記システムコントローラ内のＲＡＭである上記ＣＬＩＰＴＢＬに記憶してステップＳ４１１に進む。
【０２７８】
上記ステップＳ４１１では、上記システムコントローラ１５４が、上記オン操作されたミュージッククリップキーを示すデータを上記ＣＬＩＰＴＢＬに記憶してステップＳ４１２に進む。
【０２７９】
上記ステップＳ４１２では、上記システムコントローラ１５４が、上記メモリ１５３に記憶されているＣＣＡＬに基づいて、上記オン操作されたミュージッククリップキーのクリップファイルの曲の登録を検索してステップＳ４１３に進む。
【０２８０】
上記ステップＳ４１３では、上記システムコントローラ１５４が、上記クリップファイルに曲が登録されているか否かを判別する。そして、上記クリップファイルに曲が登録されている場合にはステップＳ４１４に進み、上記クリップファイルに一曲も曲が登録されていない場合にはそのままこのルーチンを終了する。
【０２８１】
なお、上記ミュージッククリップキーで示されるクリップファイルに曲の登録がされていない場合、上記システムコントローラ１５４は、例えば“ＮＯ  ＦＩＬＥ”の文字を表示するように上記表示部２８を制御する。これにより、ユーザは、そのミュージッククリップキーで示されるクリップファイルには曲の登録がされていないことを認識することができる。
【０２８２】
上記ステップＳ４１４では、上記システムコントローラ１５４が、複数枚の光ディスクＤを指定してこれらを順に再生する複数枚連続演奏モードが指定されており、且つ、光ディスクＤに記録されている曲のランダムな演奏を指定するランダム演奏モードが指定されているか否かを判別し、ＹＥＳの場合はステップＳ４１７に進み、ＮＯの場合はステップＳ４１５に進む。
【０２８３】
上記ステップＳ４１５では、上記システムコントローラ１５４が、上記再生部に現在装着されている光ディスクＤにクリップファイルされている曲が記録されているか否かを判別し、ＹＥＳの場合は上記ステップＳ４１９に進み、ＮＯの場合はステップＳ４１６に進む。
【０２８４】
上記ステップＳ４１９では、現在装着されている光ディスクＤにクリップファイルされている曲が記録されているため、上記システムコントローラ１５４が、クリップファイルされている曲のアドレス等を示す上記ＣＣＡＬを上記メモリ１５３から読み出し、このＣＣＡＬに基づいてその曲が記録されている光ディスクＤが再生部に装着されるように上記ロータリーテーブル１を制御するとともに、該光ディスクＤ上の上記クリップファイルされている曲のアドレスにアクセスして再生するように上記再生回路系１５５を制御してステップＳ４１８に進む。これにより、上記クリップファイルされた曲の再生が行われる。
【０２８５】
また、これとともに上記システムコントローラ１５４は、上記ＣＣＡＬに基づいてその再生する曲にタイトル等が付されている場合（後述する。）、これを上記メモリ１５３のキャラクタデータ記憶領域から読み出して表示するように上記表示部２８を制御する。これにより、ユーザに、現在再生する曲の曲名等を認識させることができる。
【０２８６】
さらに、上記システムコントローラ１５４は、このクリッププレイ時には、通常の再生状態を示すＬＥＤを点灯させ、例えば“ＣＬＩＰ  ＰＬＡＹ”等の文字を表示するように上記表示部２８を表示制御するとともに、図２に示すように現在再生されている曲の曲番号３１ａ，クリップファイルの番号，次に再生予定の曲の曲番号３１ｂ及びクリップファイルの全曲番号等を示すミュージックカレンダー３１ｃ等を表示するように上記表示部２８を制御する。
【０２８７】
これにより、ユーザに、次はどの曲が再生されるのかを予め認識させることができる。従って、ユーザは、例えば次の曲を跳ばして聞きたいのであれば現在の曲の再生終了時に曲跳ばしキーを用いて次の曲以後の曲を選択する等のようなことができ、利便性の向上を図ることができる。
【０２８８】
上記ステップＳ４１６では、上記システムコントローラ１５４が、上記再生部に現在装着されている光ディスクＤのみの再生を指定する１ディスクモードであるか否かを判別し、ＹＥＳの場合は、該現在装着されている光ディスクＤにクリップファイルされている曲がないためそのままこのルーチンを終了し、ＹＥＳの場合は上記ステップＳ４１７に進む。
【０２８９】
なお、上記１ディスクモードであり、クリッププレイができない場合、上記システムコントローラ１５４は、例えば“１ディスクモードのため次のクリッププレイができません”等の文字を表示するように表示部２８を制御する。これにより、ユーザは、誤操作を認識することができる。
【０２９０】
上記ステップＳ４１７は、上記ステップＳ４１４で複数枚連続再生モードで且つランダム演奏モードであると判別された場合、及び、上記ステップＳ４１６で１ディスクモードではないと判別された場合に進むステップである。上記システムコントローラ１５４は、このステップＳ４１７となると、クリップファイルされているＣＣＡＬを上記メモリ１５３から読み出し、このＣＣＡＬに基づいて再生する光ディスクＤが再生部に装着されるように上記ロータリーテーブル１を制御するとともに、該光ディスクＤ上の上記クリップファイルされている曲のアドレスをアクセスして再生を行うように上記再生回路系１５５を制御してステップＳ４１８に進む。これにより、上記クリップファイルされた曲の再生（クリッププレイ）が行われる。
【０２９１】
上記ステップＳ４１８では、上記システムコントローラ１５４が、クリッププレイした曲の再生が終了したか否かを判別し、ＮＯの場合は該曲の再生が終了するまでこのステップＳ４１８を繰り返し実行し、ＹＥＳの場合は上記ステップＳ４１４に戻る。
【０２９２】
上記システムコントローラ１５４は、クリップファイルされている全ての曲の再生が終了するか、再生の停止を指定する停止キーがオン操作されるまで上述のルーチンを繰り返し実行する。
【０２９３】
このように、当該再生装置は、曲の再生中（或いは再生一次停止中）にミュージッククリップキー２５１〜２５４がオン操作された場合にはその曲をクリップファイルし、停止中に上記ミュージッククリップキー２５１〜２５４がオン操作された場合は、そのミュージッククリップキーのクリップファイルに登録されている曲をクリッププレイする。このため、クリップファイルした曲を１回のキー操作で簡単に再生することができる。また、再生時毎に、所望の曲を新たにプログラムし直さなければならないような不都合を防止することができ、利便性の向上を図ることができる。
【０２９４】
次に、上述のようにクリップファイルした曲は、クリップファイルできる状態或いはクリッププレイ中であればいつでも消去（クリップイレース）可能となっている。
【０２９５】
このクリップイレースの処理ルーチンは図３２のフローチャートに示すようになっている。すなわち、この図３２に示すフローチャートは、上記クリッププレイ或いはユーザが所望の曲を単独で指定することによりクリップイレースしたい曲が再生され、該曲が再生されているときに上記イレースキー２５５がオン操作されることによりスタートとなりステップＳ４２０に進む。
【０２９６】
上記ステップＳ４２０では、上記イレースキー２５５がオン操作されたため、上記システムコントローラ１５４が、上記メモリ１５３内に記憶されている４つのＣＣＡＬ中から、現在再生中の曲の登録情報を検出してステップＳ４２１に進む。
【０２９７】
上記ステップＳ４２１では、上記メモリ１５３内に記憶されているＣＣＡＬから、上記現在再生中の曲の登録情報を消去してステップＳ４２２に進む。
【０２９８】
上記ステップＳ４２２では、上記システムコントローラ１５４が、上記現在再生中の曲の登録情報を消去することにより、そのクリップファイルを構成する全曲分の登録情報が削除されたクリップファイルが存在するか否か（登録される曲が１曲もなくなったクリップファイルが存在するか否か）を判別し、ＹＥＳの場合はステップＳ４２３に進み、ＮＯの場合はステップＳ４２５に進む。
【０２９９】
上記ステップＳ４２３では、登録されている曲が１曲も無くなってしまったクリップファイルに、該登録されている曲が１曲も無いことを示すファイルタグを形成してステップＳ４２４に進む。
【０３００】
上記ステップＳ４２４では、上記システムコントローラ１５４が、上記登録されている曲が１曲も無いことを示すファイルタグを、そのクリップファイルのフラグ領域１５３ｃに書き込むように上記メモリ１５３を書き込み制御してステップＳ４２５に進む。
【０３０１】
上記ステップＳ４２５では、上記システムコントローラ１５４が、現在クリッププレイ中であるか否かを判別し、ＹＥＳの場合はステップＳ４２６に進み、ＮＯの場合は、例えば現在再生中の曲を全て再生し終わった後に次の動作が指定されるまで再生スタンバイ状態となり、このクリップイレースのルーチンを終了する。
【０３０２】
上記ステップＳ４２６では、上記システムコントローラ１５４が、クリップイレースされた登録情報が登録されていたクリップファイルは、現在クリッププレイされているクリップファイルであるか否かを判別し、ＮＯの場合は、そのまま現在再生中の曲を再生し続けてこのクリップイレースのルーチンを終了し、ＹＥＳの場合はステップＳ４２８に進む。
【０３０３】
上記ステップＳ４２８では、上記システムコントローラ１５４が、上記クリップイレースを行うことにより、現在再生中のクリップファイルに登録情報が１つも無くなったか否か、すなわち、上記現在再生中のクリップファイルに上記ＣＣＡＬが存在するか否かを判別し、ＹＥＳの場合はステップＳ４２９に進み、ＮＯの場合は、そのままこのクリップイレースのルーチンを終了する。
【０３０４】
なお、上記ステップＳ４２８でＮＯと判別されこのクリップイレースのルーチンを終了した場合、上記システムコントローラ１５４は、クリップイレースされた曲の次に登録されている曲を再生するように再生回路系１５５等を制御する。
【０３０５】
上記ステップＳ４２９では、上記システムコントローラ１５４が、現在、１枚の光ディスクＤのみの再生を指定する１ディスクモードであるか否かを判別し、ＹＥＳの場合は、ステップＳ４３０に進んで現在再生中の曲の再生を途中で停止するように上記再生回路系１５５等を制御し、ＹＥＳの場合は、例えば複数の光ディスクＤを連続して再生する連続再生モード等であるためステップＳ４３１に進む。
【０３０６】
上記ステップＳ４３１では、上記システムコントローラ１５４が、上記クリップイレースした曲の次の曲が記録されている光ディスクＤの再生を行うように上記ロータリーテーブル１及び再生回路系１５５を制御してこのクリップイレースのルーチンを終了する。
【０３０７】
なお、クリップイレースを行った場合には、上記システムコントローラ１５４は、例えば“ＣＬＩＰ  ＥＲＡＳＥ”の文字を表示するとともに、ミュージックカレンダーからその曲の曲番号を消去するように上記表示部２８を制御する。これにより、ユーザは、現在再生中の曲がクリップイレースされたことを認識することができる。
【０３０８】
次に、当該再生装置は、上記クリップファイルした曲や該ファイル毎にタイトル等を付加することができるようになっている。
【０３０９】
すなわち、ユーザは、タイトル等を付加したい曲を上記クリッププレイにおいて再生し、この曲の再生中に図２３に示すタイム／メモキー２５６をオン操作する。上記システムコントローラ１５４は、クリッププレイ中に上記タイム／メモキー２５６がオン操作されたことを検出すると、以下に説明するクリップメモモードとなり、例えば“ＭＥＭＯ  ＦＩＬＥ”の文字を点滅表示するように上記表示部２８を制御する。これにより、ユーザは、上記タイトル等を付加が可能となったことを認識することができる。また、クリッププレイ中以外（停止中等）に該タイム／メモキー２５６がオン操作されたことを検出すると、現在再生部に装着されている光ディスクＤの全記録時間や現在再生中の曲の記録時間，再生時間等を表示するように上記表示部２８を制御する。
【０３１０】
ここで、上記タイトル等は、例えばカタカナや英文字，数字等で登録可能となっている。このため、ユーザは、上記タイトルを文字登録するか数字登録するかを予め選択し、該文字登録，数字登録の切り換えを行うために設けられている登録文字切り換えキー（図示せず）を操作する。上記システムコントローラ１５４は、上記登録文字切り換えキーの操作により、文字登録が指定された場合には、図２３に示すスイッチ２５８を、選択端子２５８ａで被選択端子２５８ｂを選択するように選択制御し、数字登録が指定された場合には、選択端子２５８ａで被選択端子２５８ｃを選択するように選択制御する。
【０３１１】
上記スイッチ２５８の選択端子２５８ａは、ＪＯＧ回転検出回路２５７を介して上記回転式操作キー２６に接続されており、ユーザは、この回転式操作キー２６を回転操作することにより文字及び数字の選択を行うようになっている。
【０３１２】
すなわち、上記回転式操作キー２６の回転方向等は、上記ＪＯＧ回転検出回路２５７で検出されるようになっている。上記ＪＯＧ回転検出回路２５７は、上記回転式操作キー２６が時計回り方向（右回転）に回転操作されるとこれを検出し、該回転操作に応じて図３３（ａ）に示すような位相の第１のパルスを出力する。また、上記ＪＯＧ回転検出回路２５７は、上記回転式操作キー２６が反時計回り方向（左回転）に回転操作されるとこれを検出し、該回転操作に応じて図３３（ｂ）に示すような、上記第１のパルスに対して例えば１／４周期分の位相差を有する第２のパルスを出力する。
【０３１３】
具体的には、上記回転式操作キー２６は、上述のようにその内部に例えば１０個のクリックが設けられている。このため、上記回転式操作キー２６が１回転すると、上記ＪＯＧ回転検出回路２５７からは、１０発の第１或いは第２のパルスが出力されることとなる。
【０３１４】
この第１，第２のパルスは、ユーザにより文字登録が指定された場合には、上記スイッチ２５８を介してキャラクタ更新回路２６１に供給され、該ユーザにより数字登録が指定された場合には、上記スイッチ２５８を介してディスクナンバー更新回路２５９に供給される。
【０３１５】
ここで、キャラクタメモリ２６０には、例えば数字，カタカナ，英字，漢字，画像等を表示するためのキャラクタデータが供給されている。
上記キャラクタ更新回路２６１は、供給されるパルスの位相を検出することにより、そのパルスが上記第１のパルスであるか第２のパルスであるかを判別し、上記第１のパルス（右回転）である場合は、上記キャラクタメモリ２６０から例えばアイウエオ・・・或いはＡＢＣＤ・・・の順にキャラクタデータを読み出して上記表示部２８に供給する。また、供給されるパルスが上記第２のパルス（左回転）である場合は、上記キャラクタメモリ２６０から例えばオエウイア・・・或いはＤＣＢＡ・・・の順にキャラクタデータを読み出して上記表示部２８に供給する。これにより、上記表示部２８には、上記回転式操作キー２６の回転操作に応じて上記カタカナ，英字等が表示されることとなる。
【０３１６】
次に、ユーザは、このように上記回転式操作キー２６を回転操作し、上記表示部に所望の文字が表示されたときに、該回転式操作キー２６の略々中央部に設けられている押しボタンスイッチ２７をオン操作する。これにより、上記押しボタンスイッチ２７から例えば一発のパルス（固定パルス）が出力される。
【０３１７】
上記押しボタンスイッチ２７は、上記キャラクタ更新回路２６１に接続されている。上記キャラクタ更新回路２６１は、上記固定パルスが供給されると、上記表示部２８に現在表示しているカタカナ或いは英字を、上記メモリ１５３のキャラクタデータ記憶領域１５３ｂに書き込むように該メモリ１５３を書き込み制御する。これにより、上記表示中のカタカナ或いは英字が現在再生中の曲の登録情報のひとつとして登録される。
【０３１８】
一方、ユーザにより数字登録が指定された場合には、上記第１，第２のパルスは、スイッチ２５８を介してディスクナンバー更新回路２５９に供給される。
【０３１９】
上記ディスクナンバー更新回路２５９は、供給されるパルスの位相を検出することにより、そのパルスが上記第１のパルスであるか第２のパルスであるかを判別し、上記第１のパルス（右回転）である場合は、上記キャラクタメモリ２６０から例えば０１２３４・・・の順にキャラクタデータを読み出して上記表示部２８に供給する。また、供給されるパルスが上記第２のパルス（左回転）である場合は、上記キャラクタメモリ２６０から例えば９８７６５・・・の順にキャラクタデータを読み出して上記表示部２８に供給する。これにより、上記表示部２８には、上記回転式操作キー２６の回転操作に応じて上記数字が表示されることとなる。
【０３２０】
次に、ユーザは、このように上記回転式操作キー２６を回転操作し、上記表示部に所望の数字が表示されたときに、該回転式操作キー２６の略々中央部に設けられている押しボタンスイッチ２７をオン操作する。これにより、上記押しボタンスイッチ２７から上記固定パルスが供給される。上記ディスクナンバー更新回路２５９は、上記押しボタンスイッチ２７と接続されている。このため、上記固定パルスは、上記ディスクナンバー更新回路２５９に供給される。
【０３２１】
上記ディスクナンバー更新回路２５９は、上記固定パルスが供給されると、上記表示部２８に現在表示している数字を、上記メモリ１５３のディスク番号登録領域１５３ａに書き込むように該メモリ１５３を書き込み制御する。これにより、上記表示中の数字が現在再生中の曲の登録情報のひとつとして登録される。
【０３２２】
ユーザは、このような操作を繰り返し、所望のタイトル等の入力が終了したときに、上記タイム／メモキー２５６を再度オン操作する。なお、本実施例に係る再生装置では、例えば１０文字分のキャラクタデータが記憶できるようになっている。
【０３２３】
上記タイム／メモキー２５６が再度オン操作されると、上記システムコントローラ１５４はこれを検出し、上記表示部に点滅表示している“ＭＥＭＯ  ＦＩＬＥ”の文字を所定時間点灯表示するように上記表示部２８を制御する。これにより、現在クリッププレイ中の曲のタイトル等が登録されたことをユーザに認識させることができる。
【０３２４】
上記タイトル等を入力するには複数のキーが必要であるが、このように、当該再生装置は、クリップファイルした曲のタイトル等を上記回転式操作キー２６及び押しボタンスイッチ２７により簡単に入力することができる。このため、タイトル等の入力に必要なキーを削減してパネル面積の縮小化を図ることができ、ローコスト化を図ることができる。
【０３２５】
なお、このようにクリップメモモードに登録されたタイトル等は、上述のようにクリッププレイ時等に読み出され上記表示部２８に表示される。これにより、所望の曲を複数の光ディスクＤから選択してクリップファイルを形成しても、そのクリップファイルがどのような曲の集まりであるかを簡単に認識させることができる。
【０３２６】
また、現在再生中の曲のタイトル等の他に、次に再生予定の曲のタイトル等も上記表示部２８に表示される。これにより、ユーザは、次に何の曲が再生されるかを簡単に認識することができる。
【０３２７】
次に、このように登録したタイトル等を削除する場合（曲の登録情報はそのままでタイトル等のキャラクタデータのみを削除する場合）の説明をする。
このタイトル等の削除を行う場合、ユーザは、まず、タイトル等の削除を行いたい曲をクリッププレイする。そして、上記タイム／メモキー２５６をオン操作する。
【０３２８】
これにより、上記システムコントローラ１５４は、上述のように“ＭＥＭＯ  ＦＩＬＥ”の文字を点滅表示するように上記表示部２８を制御し、タイトル等の入力待ちとなる。
【０３２９】
次にユーザは、上記イレースキー２５５をオン操作する。これにより、上記システムコントローラ１５４は、上記メモリ１５３に記憶されているその曲のキャラクタデータを消去するように該メモリ１５３を制御するとともに、上記点滅表示していた“ＭＥＭＯ  ＦＩＬＥ”の文字を消し、例えば“ＦＩＬＥ  ＥＲＡＳＥ”の文字を点灯表示するように上記表示部２８を制御する。
【０３３０】
これにより、登録されていたその曲のタイトル等のキャラクタデータが消去されたことをユーザに認識させることができる。
【０３３１】
次に、このようにクリップファイルした曲毎にタイトル等を付加すると、このタイトル等により所望の曲が検索できるようになっている。
この検索を行う場合、まず、ユーザは、検索を行いたいクリップファイルに応じた上記各ミュージッククリップキー２５１〜２５４の何れかをオン操作するとともに、上記タイム／メモキー２５６をオン操作する。これにより、上記システムコントローラ１５４は、上述のようにクリップメモモードとなる。
【０３３２】
次に、ユーザは、上記クリップメモモードとなったときに、検索キー（図示せず）をオン操作する。これにより、上記システムコントローラ１５４は、検索モードとなり、例えば“検索”の文字を表示するように上記表示部２８を制御する。
【０３３３】
次にユーザは、上記回転式操作キー２６を回転操作して所望の曲を選択する。上記システムコントローラ１５４は、上記回転操作キー２６が回転操作されると該回転操作に応じて、そのクリップファイルを構成する曲のキャラクタデータを上記メモリ１５３から順に読み出し、これを表示するように上記表示部２８を制御する。
【０３３４】
具体的に、上記回転式操作キー２６は、その内部に例えば１０個のクリックが設けられている。このため、上記システムコントローラ１５４は、上記回転式操作キー２６の回転操作に応じて、１つのクリック毎に上記表示部２８に表示するタイトル等が更新されるように該表示部２８を制御する。
【０３３５】
これにより、上記表示部２８には、そのクリップファイルを構成する曲のタイトル等が、例えば歌謡曲，演歌，フォークソング・・・等のように更新され表示されることとなる。ユーザは、上記表示部２８に表示される曲のタイトル等を見ながら所望の曲の検索を行う。
【０３３６】
次にユーザは、上記回転式操作キー２６の回転操作により上記表示部２８に所望のタイトル等が表示されたときに、上記押しボタンスイッチ２７をオン操作する。これにより、上記システムコントローラ１５４は、上記押しボタンスイッチ２７がオン操作されたときに表示していたタイトル等に係る曲を再生するように上記ロータリーテーブル１，上記再生回路系１５５等を制御する。
【０３３７】
なお、この検索モードにおいて、上記システムコントローラ１５４は、上記回転式操作キー２６の回転操作が停止されると、該停止された時間をカウントする。そして、上記押しボタンスイッチ２７がオン操作されることなく、上記回転式操作キー２６が停止状態のまま例えば１６秒経過すると、この検索モードを中止して通常状態に戻るように各部を制御するようになっている。
【０３３８】
このように、当該再生装置は、上記回転式操作キー２６の回転操作のみで所望のクリップファイルの曲を検索することができ、上記押しボタンスイッチ２７をオン操作するのみで、上記検索した曲を再生することができる。
上記曲の検索を行うためには、該曲の検索を行うための複数のキーを設ける必要があるが、上記回転式操作キー２６及び押しボタンスイッチ２７で該曲の検索を行うようにすることにより、該曲の検索を可能とするために設けなければならないキーの数を削減することができる。このため、パネル面積の縮小化，部品点数の削減等を通じてローコスト化を図ることができる。
【０３３９】
なお、上述の実施例に説明では、上記操作パネル１１に設置された回転式操作キー２６と押しボタンスイッチ２７にて各種データの更新設定を行うようにしたが、その他、リモコンに上記と同様の回転式操作キー２６と押しボタンスイッチ２７を設置して、遠隔操作で各種データの更新設定を行うようにしてもよい。
【０３４０】
また、本発明に係る記録及び／又は再生装置を、複数の光ディスクの再生が可能な再生装置に適用することとしたが、これは、１枚の光ディスクの再生のみ可能な再生装置に適用してもよい。
【０３４１】
また、本発明に係る記録及び／又は再生装置を、光ディスク用の再生装置に適用した例を示したが、これは光磁気ディスク用の記録再生装置にも適用することかできることは勿論である。
【０３４２】
【発明の効果】
本発明に係る記録及び／又は再生装置は、回転式操作キー及び押しボタンスイッチの簡単な操作により、円盤状記録媒体及び情報を選択してグループ化することができるうえ、このグループ化した円盤状記録媒体或いは情報の属性とともに、その円盤状記録媒体毎或いは情報毎にタイトル等のキャラクタを記憶しておくことができる。このため、上記タイトル等のキャラクタ入力の操作を簡略化することができる利便性の向上を図ることができる。また、キャラクタ入力に必要なキーの数を削減することができ、パネル面積の縮小化及びローコスト化を図ることができる。
【０３４３】
また、上記回転式操作キー及び押しボタンスイッチの操作により、上記グループ化された情報等の中から所望の情報を簡単に検索して再生することができる。このため、上記検索に必要なキーの数を削減することができ、パネル面積の縮小化及びローコスト化を図ることができる。
【０３４４】
また、再生時には、現在再生している情報の属性の他に、次に再生予定の情報の属性をも表示することができる。このため、ユーザに、次にはどの情報が再生されるのかを認識させることができるうえ、そのグループがどのような情報の集まりであるかを認識させることができる。
本発明に係る再生方法は、キャラクタ入力の操作手順を簡略化することができ、所望の曲等の検索を容易化することができるうえ、再生時には、次に再生予定の曲の曲番号等も表示することを可能とする。
【図面の簡単な説明】
【図１】本発明に係る記録及び／又は再生装置を、多数枚の光ディスクが収納されたディスク収納ユニットから一枚の光ディスクを取り出し、この取り出した光ディスクに対して情報信号の再生を行う光ディスク用の再生装置に適用した実施例（以下、単に実施例に係る再生装置と記す）の外観を示す斜視図である。
【図２】本実施例に係る再生装置の要部（操作パネル）を示す正面図である。
【図３】本実施例に係る再生装置の要部機構（回転駆動機構、ローディング機構及び回転位置検出機構）を示す構成図である。
【図４】本実施例に係る再生装置のロータリーテーブルの一部及びローディング機構の一部を示す上面図である。
【図５】本実施例に係る再生装置のロータリーテーブル及びローディング機構を筺体のコーナー部側から見た正面図である。
【図６】本実施例に係る再生装置のローディング機構の動作を示すもので、その初期状態を示す動作経過図である。
【図７】本実施例に係る再生装置のローディング機構の動作を示すもので、第２のアームの先端部分がローディング位置にある光ディスクに当接した状態を示す動作経過図である。
【図８】本実施例に係る再生装置のローディング機構の動作を示すもので、第２のアームの先端部分がローディング位置に光ディスクに当接した状態から、更にカムが時計方向に回転することに伴って、第１のアームが時計方向に回転している状態を示す動作経過図である。
【図９】本実施例に係る再生装置のローディング機構の動作を示すもので、第１のアームが時計方向への回転から反時計方向への回転に切り換わった状態を示す動作経過図である。
【図１０】本実施例に係る再生装置のローディング機構の動作を示すもので、第１のアームの先端部分がローディング位置にある光ディスクに当接して、光ディスクを上方に持ち上げる瞬間を示す動作経過図である。
【図１１】本実施例に係る再生装置のローディング機構の動作を示すもので、第１のアームの反時計方向への回転に伴って、光ディスクが斜め上方に持ち上げられ、かつガイドレールの湾曲面に接触した状態を示す動作経過図である。
【図１２】本実施例に係る再生装置のローディング機構の動作を示すもので、第１のアームの反時計方向への回転に伴って、光ディスクがガイドレールの湾曲面に沿って装着位置方向へ回転搬送される状態を示す動作経過図である。
【図１３】本実施例に係る再生装置のローディング機構の動作を示すもので、光ディスクが装着位置に回転搬送された状態を示す動作経過図である。
【図１４】本実施例に係る再生装置のローディング機構の動作を示すもので、ローディング位置に光ディスクがない場合の動作を示す動作経過図である。
【図１５】本実施例に係る再生装置の要部機構（再生ユニット、チャッキング機構、ロック手段）を示す構成図である。
【図１６】本実施例に係る再生装置の要部機構（再生ユニット、チャッキング機構、ロック手段）を示す上面図である。
【図１７】本実施例に係る再生装置の要部機構（再生ユニット、チャッキング機構、ロック手段）を筺体のコーナー部側から見た正面図である。
【図１８】本実施例に係る再生装置において、再生ユニットに光ディスクがクランプされた状態での要部機構（再生ユニット、チャッキング機構、ロック手段）を筺体のコーナー部側から見た正面図である。
【図１９】本実施例に係る再生装置の回転位置検出機構の信号伝達系を示すブロック図である。
【図２０】本実施例に係る再生装置の回転位置検出機構における各光センサから出力される検出信号を示す信号波形図であり、特に、ディスク番号「１」から「３２」までの各検出信号の信号波形を示す。
【図２１】本実施例に係る再生装置の回転位置検出機構における各光センサから出力される検出信号を示す信号波形図であり、特に、ディスク番号「３２」から「６５」までの各検出信号の信号波形を示す。
【図２２】本実施例に係る再生装置の回転位置検出機構における各光センサから出力される検出信号を示す信号波形図であり、特に、ディスク番号「６６」から「１００」までの各検出信号の信号波形を示す。
【図２３】本実施例に係る再生装置の回路系を示すブロック図である。
【図２４】本実施例に係る再生装置のメモリに割り付けられるファイルの構成を示す説明図である。
【図２５】本実施例に係る再生装置でのグループ登録処理を示すフローチャートである。
【図２６】本実施例に係る再生装置でのディスク番号設定処理を示すフローチャートである。
【図２７】本実施例に係る再生装置でのメモ入力処理を示すフローチャートである。
【図２８】本実施例に係る再生装置での再生処理を示すフローチャートである。
【図２９】本実施例に係る再生装置でのクリップファイル処理，クリッププレイ処理の選択動作を説明するためのフローチャートである。
【図３０】本実施例に係る再生装置でのクリップファイル処理動作を説明するためのフローチャートである。
【図３１】本実施例に係る再生装置でのクリッププレイ処理動作を説明するためのフローチャートである。
【図３２】本実施例に係る再生装置でのクリップイレース処理動作を説明すのためのフローチャートである。
【図３３】本実施例に係る再生装置に設けられている回転式操作キーの回転方向に応じて出力されるパルスの位相差を説明するための該パルスの波形図である。
【符号の説明】
Ｄ・・・・・・・・・・・光ディスク
１・・・・・・・・・・・ロータリーテーブル
２・・・・・・・・・・・筺体
３・・・・・・・・・・・中心軸
４・・・・・・・・・・・スリット
５・・・・・・・・・・・筒状の支持部材
７・・・・・・・・・・・ギヤ部
８・・・・・・・・・・・凹部
９・・・・・・・・・・・出入れ口
１０・・・・・・・・・・蓋
１１・・・・・・・・・・操作パネル
２３・・・・・・・・・・グループキー
２４・・・・・・・・・・グループエントリーキー
２５・・・・・・・・・・メモ入力キー
２６・・・・・・・・・・回転式操作キー
２７・・・・・・・・・・押しボタンスイッチ
２８・・・・・・・・・・表示部
２９・・・・・・・・・・グループ番号表示領域
３０・・・・・・・・・・メモ表示領域
３１ａ・・・・・・・・・第１のディスク番号表示領域
３１ｂ・・・・・・・・・第２のディスク番号表示領域
４１・・・・・・・・・・回転駆動機構
４２・・・・・・・・・・ローディング機構
４３・・・・・・・・・・再生ユニット
４４・・・・・・・・・・回転位置検出機構
４７・・・・・・・・・・駆動ギヤ
４９・・・・・・・・・・ガイドレール
４９ａ・・・・・・・・・湾曲面
５０・・・・・・・・・・搬送手段
５１・・・・・・・・・・固定板
５４・・・・・・・・・・第１のアーム
５５・・・・・・・・・・第２のアーム
５７，５８・・・・・・・カム溝
５９・・・・・・・・・・ピン
６０・・・・・・・・・・カム
６２・・・・・・・・・・トーションばね
７３・・・・・・・・・・ストッパ機構
８１・・・・・・・・・・ターンテーブル
８２・・・・・・・・・・光学ピックアップ
８３・・・・・・・・・・匣体
８４・・・・・・・・・・支持板
８６・・・・・・・・・・フローティング手段
８７・・・・・・・・・・揺動板
９３・・・・・・・・・・ロック手段
９４・・・・・・・・・・ロックレバー
９８・・・・・・・・・・スプリング
９９・・・・・・・・・・スライダ
１０２・・・・・・・・・上下移動機構
１０６・・・・・・・・・主ギヤ
１０７・・・・・・・・・螺旋溝
１０８・・・・・・・・・ピン
１１１・・・・・・・・・チャッキング機構
１１３・・・・・・・・・ホルダ
１１５・・・・・・・・・マグネット付きチャッキング部材
１２１・・・・・・・・・案内片
１２２・・・・・・・・・ピン
１３１・・・・・・・・・回転検出体
１３２・・・・・・・・・光検出部
１３３ａ・・・・・・・・第１の検出板
１３３ｂ・・・・・・・・第２の検出板
ＳＷ１・・・・・・・・・第１の検出スイッチ
ＳＷ２・・・・・・・・・第２の検出スイッチ
ＳＷ３・・・・・・・・・第３の検出スイッチ
１４１・・・・・・・・・コントローラ
１４２・・・・・・・・・駆動制御回路
１５１・・・・・・・・・検知回路系
１５２・・・・・・・・・駆動制御回路系
１５３・・・・・・・・・メモリ
１５４・・・・・・・・・システムコントローラ
１５５・・・・・・・・・再生回路系
２５１〜２５４・・・・・第１〜第４のミュージッククリップキー
２５５・・・・・・・・・イレースキー
２５６・・・・・・・・・タイムメモキー
２５７・・・・・・・・・ＪＯＧ回転検出回路
２５８・・・・・・・・・スイッチ
２５９・・・・・・・・・ディスクナンバー更新回路
２６０・・・・・・・・・キャラクタメモリ
２６１・・・・・・・・・キャラクタ更新回路
【図１】
0003901744.tif 000002
【図２】
0003901744.tif 000003
【図３】
0003901744.tif 000004
【図４】
0003901744.tif 000005
【図５】
0003901744.tif 000006
【図６】
0003901744.tif 000007
【図７】
0003901744.tif 000008
【図８】
0003901744.tif 000009
【図９】
0003901744.tif 000010
【図１０】
0003901744.tif 000011
【図１１】
0003901744.tif 000012
【図１２】
0003901744.tif 000013
【図１３】
0003901744.tif 000014
【図１４】
0003901744.tif 000015
【図１５】
0003901744.tif 000016
【図１６】
0003901744.tif 000017
【図１７】
0003901744.tif 000018
【図１８】
0003901744.tif 000019
【図１９】
0003901744.tif 000020
【図２０】
0003901744.tif 000021
【図２１】
0003901744.tif 000022
【図２２】
0003901744.tif 000023
【図２３】
0003901744.tif 000024
【図２４】
0003901744.tif 000025
【図２５】
0003901744.tif 000026
【図２６】
0003901744.tif 000027
【図２７】
0003901744.tif 000028
【図２８】
0003901744.tif 000029
【図２９】
0003901744.tif 000030
【図３０】
0003901744.tif 000031
【図３１】
0003901744.tif 000032
【図３２】
0003901744.tif 000033
【図３３】
0003901744.tif 000034